(57)【要約】      （修正有）【課題】アップリンクキャリアアグリゲーションにおける電力ヘッドルーム（ＰＨ）管理のための方法を提供する。【解決手段】ワイヤレスネットワーク１００は、リレー１１０ｒを含む。リレーは、上流局からデータの送信を受信し、そのデータの送信を下流局に送ることができるエンティティである。リレーはまた、他のＵＥに対する送信を中継することができるＵＥである。ネットワークコントローラ１３０は、ｅＮＢ／基地局のセットに結合し、これらのｅＮＢ／基地局の協調および制御を行う。ネットワークコントローラ１３０は、単一のネットワークエンティティまたはネットワークエンティティの集合を含む。ネットワークコントローラ１３０はバックホールを介してｅＮＢ／基地局と通信する。ｅＮＢ／基地局はまた、直接、あるいはワイヤレスまたはワイヤラインバックホールを介して間接的に、互いと通信する。【選択図】図１
2019024217.tif 000002
【特許請求の範囲】
【請求項１】
アップリンクキャリアアグリゲーションにおける電力ヘッドルーム（ＰＨ）管理のための方法であって、
ワイヤレス通信ネットワークの少なくとも２つの独立して制御されるセルによってサービスされるモバイルエンティティによるアップリンク送信についての総ＰＨ制約を受けて、前記モバイルエンティティのために、前記少なくとも２つの独立して制御されるセルにわたるアップリンク電力割振りを決定することと、
前記少なくとも２つの独立して制御されるセルの各々ごとの前記アップリンク電力割振りを決定するためのＰＨ報告を管理することと
を備える、方法。
【請求項２】
前記ＰＨ報告を前記管理することが、前記少なくとも２つの独立して制御されるセル間の明示的協調、前記少なくとも２つの独立して制御されるセル間の暗黙的協調、または前記少なくとも２つの独立して制御されるセルのうちの少なくとも１つによって前記モバイルエンティティからのＰＨ報告を構成することのうちの少なくとも１つによって実行される、請求項１に記載の方法。
【請求項３】
前記少なくとも２つの独立して制御されるセルのうちの１つが１次セルであり、前記少なくとも２つの独立して制御されるセルのうちの別の１つが２次セルである、請求項２に記載の方法。
【請求項４】
前記ＰＨ報告を前記管理することが、前記少なくとも２つの独立して制御されるセル間の明示的協調によって実行され、前記１次セルが前記２次セルのための最大アップリンク電力値を定義することをさらに備える、請求項３に記載の方法。
【請求項５】
前記１次セルが、バックホールを介して前記最大アップリンク電力値を前記２次セルにシグナリングすることをさらに備える、請求項４に記載の方法。
【請求項６】
前記少なくとも２つの独立して制御されるセル間の暗黙的協調によって前記ＰＨ報告を前記管理することを実行することをさらに備え、ここにおいて、前記少なくとも２つの独立して制御されるセルの各々が、前記モバイルエンティティから受信されたＰＨ報告（ＰＨＲ）に基づいてセルごとの部分ＰＨを決定する、請求項２に記載の方法。
【請求項７】
前記ＰＨＲが、前記モバイルエンティティのすべてのアンテナについてアグリゲートされた最大送信電力と、セルごとのＰＨとを備える、請求項６に記載の方法。
【請求項８】
セルごとの前記部分ＰＨが、前記セルについて前記モバイルエンティティによって報告された部分ＰＨよりも小さい、請求項６に記載の方法。
【請求項９】
前記少なくとも２つの独立して制御されるセルの各々が、前記ＰＨＲと、定義された電力しきい値とに基づいて、モバイルエンティティ送信電力を決定する、請求項７に記載の方法。
【請求項１０】
前記少なくとも２つの独立して制御されるセルの各々が、前記ＰＨＲと、前記モバイルエンティティのすべてのアンテナについてアグリゲートされた前記最大送信電力とに基づいて、モバイルエンティティ送信電力を決定する、請求項７に記載の方法。
【請求項１１】
前記ＰＨ報告を前記管理することは、前記少なくとも２つの独立して制御されるセルの各々が前記モバイルエンティティからＰＨ制御情報を受信することによって実行され、ここにおいて、前記モバイルエンティティが、ピーク最大電力低減（ＰＭＰＲ）に基づいて前記ＰＨ制御情報を変更する、請求項２に記載の方法。
【請求項１２】
前記モバイルエンティティが、前記少なくとも２つの独立して制御されるセルのうちの少なくとも１つの送信電力に基づいて前記ＰＭＰＲを計算する、請求項１０に記載の方法。
【請求項１３】
前記少なくとも２つの独立して制御されるセルの各々が、前記ＰＨ制御情報に基づいてモバイルエンティティ送信電力を決定する、請求項２に記載の方法。
【請求項１４】
送信タイプごとに電力を割り振ること、または前記少なくとも２つの独立して制御されるセルについてのセルごとのＰＨ制約から送信タイプを除外することのうちの少なくとも１つによって、１つまたは複数の送信タイプのうちの１つに優先度を付けることをさらに備える、請求項１に記載の方法。
【請求項１５】
前記優先度を付けることが、チャネルタイプ、コンテンツタイプまたはセルタイプのうちの１つまたは複数に基づく、請求項１３に記載の方法。
【請求項１６】
ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定することと、アップリンクサービングセルごとの前記アップリンク電力割振りを決定するためのＰＨ報告を管理することとを行うように構成された少なくとも１つのプロセッサと、
前記少なくとも１つのプロセッサに結合された、データを記憶するためのメモリと
を備える、ワイヤレス通信装置。
【請求項１７】
前記少なくとも１つのプロセッサが、前記少なくとも２つの独立して制御されるセル間の明示的協調、前記少なくとも２つの独立して制御されるセル間の暗黙的協調、または前記少なくとも２つの独立して制御されるセルのうちの少なくとも１つによって前記モバイルエンティティからのＰＨ報告を構成することのうちの少なくとも１つによって、前記ＰＨ報告を前記管理することを実行するようにさらに構成された、請求項１５に記載のワイヤレス通信装置。
【請求項１８】
前記少なくとも１つのプロセッサが、１次セルである、前記少なくとも２つの独立して制御されるセルのうちの１つに関する前記明示的協調によって、前記ＰＨ報告を前記管理することを実行するようにさらに構成され、２次セルである、前記少なくとも２つの独立して制御されるセルのうちの別の１つのための最大アップリンク電力値を定義することをさらに備える、請求項１５に記載のワイヤレス通信装置。
【請求項１９】
前記少なくとも１つのプロセッサが、前記１次セルに、バックホールを介して前記最大アップリンク電力値を前記２次セルにシグナリングさせるようにさらに構成された、請求項１７に記載のワイヤレス通信装置。
【請求項２０】
前記少なくとも１つのプロセッサが、前記少なくとも２つの独立して制御されるセルの各々に関する前記暗黙的協調によって、前記ＰＨ報告を前記管理することを実行するようにさらに構成され、前記モバイルエンティティから受信されたＰＨＲに基づいてセルごとの部分ＰＨを決定することをさらに備える、請求項１６に記載のワイヤレス通信装置。
【請求項２１】
前記少なくとも１つのプロセッサが、前記モバイルエンティティのすべてのアンテナについてアグリゲートされた最大送信電力と、セルごとのＰＨとを備える前記ＰＨＲを受信するようにさらに構成された、請求項１９に記載のワイヤレス通信装置。
【請求項２２】
前記少なくとも１つのプロセッサが、前記ＰＨＲと、前記少なくとも２つの独立して制御されるセルの各々のための定義された電力しきい値とに基づいて、モバイルエンティティ送信電力を決定するようにさらに構成された、請求項２０に記載のワイヤレス通信装置。
【請求項２３】
前記少なくとも１つのプロセッサが、前記少なくとも２つの独立して制御されるセルの各々について、前記ＰＨＲと、前記モバイルエンティティのすべてのアンテナについてアグリゲートされた前記最大送信電力とに基づいて、モバイルエンティティ送信電力を決定するようにさらに構成された、請求項２１に記載のワイヤレス通信装置。
【請求項２４】
前記少なくとも１つのプロセッサは、前記少なくとも２つの独立して制御されるセルの各々が前記モバイルエンティティからＰＨ制御情報を受信することによって、前記ＰＨ報告を前記管理することを実行するようにさらに構成され、ここにおいて、前記モバイルエンティティが、ピーク最大電力低減（ＰＭＰＲ）に基づいて前記ＰＨ制御情報を変更する、請求項１６に記載のワイヤレス通信装置。
【請求項２５】
前記少なくとも１つのプロセッサが、前記少なくとも２つの独立して制御されるセルの各々について、前記ＰＨ制御情報に基づいてモバイルエンティティ送信電力を決定するようにさらに構成された、請求項１６に記載のワイヤレス通信装置。
【請求項２６】
前記少なくとも１つのプロセッサが、送信タイプごとに電力を割り振ること、またはＰＨ制限から送信タイプを除外することのうちの少なくとも１つによって、１つまたは複数の送信タイプのうちの１つに優先度を付けるようにさらに構成された、請求項１５に記載のワイヤレス通信装置。
【請求項２７】
前記少なくとも１つのプロセッサが、チャネルタイプ、コンテンツタイプまたはセルタイプのうちの１つまたは複数に基づいて、前記１つまたは複数の送信タイプに優先度を付けるようにさらに構成された、請求項２５に記載のワイヤレス通信装置。
【請求項２８】
ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定するための手段と、
アップリンクサービングセルについてのＰＨ報告を管理するための手段と
を備える、ワイヤレス通信装置。
【請求項２９】
少なくとも１つのコンピュータに、
ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定することと、アップリンクサービングセルについてのＰＨエポーティングを管理することと
を行わせるためのコードを備える非一時的コンピュータ可読媒体と、
前記少なくとも１つのプロセッサに結合された、データを記憶するためのメモリと
を備える、コンピュータプログラム製品。
【請求項３０】
キャリアアグリゲーションにおけるモバイルエンティティによる電力ヘッドルーム（ＰＨ）管理のための方法であって、
アップリンクキャリアアグリゲーション（ＣＡ）を使用して、ＰＨ制約を受けるモバイルエンティティから、ワイヤレス通信ネットワークの少なくとも２つの独立して制御されるセルにデータをシグナリングすることと、
前記モバイルエンティティから前記少なくとも２つの独立して制御されるセルの各々にアップリンク電力制御を管理するための情報を与えることと
を備える、方法。
【請求項３１】
前記情報が、セルごとの最大送信電力とセルごとのＰＨとを備える、請求項２９に記載の方法。
【請求項３２】
前記情報が、前記モバイルエンティティのすべてのアンテナについてアグリゲートされた最大送信電力を備える、請求項３０に記載の方法。
【請求項３３】
前記情報が、前記少なくとも２つの独立して制御されるセルの各々についてのピーク最大電力低減（ＰＭＰＲ）を含むＰＨ報告を備える、請求項２９に記載の方法。
【請求項３４】
前記少なくとも２つの独立して制御されるセルのうちの少なくとも１つの送信電力に基づいて前記ＰＭＰＲを計算することをさらに備える、請求項３２に記載の方法。
【請求項３５】
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることとを行うように構成された少なくとも１つのプロセッサと、
前記少なくとも１つのプロセッサに結合された、データを記憶するためのメモリと
を備える、ワイヤレス通信装置。
【請求項３６】
前記少なくとも１つのプロセッサが、セルごとの最大送信電力とセルごとのＰＨとを備える前記情報を与えるようにさらに構成された、請求項３４に記載のワイヤレス通信装置。
【請求項３７】
前記少なくとも１つのプロセッサが、前記モバイルエンティティのすべてのアンテナについてアグリゲートされた最大送信電力をさらに備える前記情報を与えるようにさらに構成された、請求項３５に記載のワイヤレス通信装置。
【請求項３８】
前記少なくとも１つのプロセッサが、前記少なくとも２つの独立して制御されるセルの各々についてのピーク最大電力低減（ＰＭＰＲ）によって変更されたＰＨ報告を備える前記情報を与えるようにさらに構成された、請求項３４に記載のワイヤレス通信装置。
【請求項３９】
前記少なくとも１つのプロセッサが、前記少なくとも２つの独立して制御されるセルのうちの少なくとも１つの送信電力に基づいて前記ＰＭＰＲを計算するようにさらに構成された、請求項３７に記載のワイヤレス通信装置。
【請求項４０】
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングするための手段と、
前記モバイルエンティティから前記少なくとも２つの独立して制御されるセルの各々にアップリンク電力制御を管理するための情報を与えるための手段と
を備える、ワイヤレス通信装置。
【請求項４１】
少なくとも１つのコンピュータに、
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることと
を行わせるためのコードを備える非一時的コンピュータ可読媒体
を備える、コンピュータプログラム製品。
【発明の詳細な説明】
【技術分野】
【０００１】
関連出願の相互参照
[0001]本出願は、米国特許法第１１９条（ｅ）項に従って、その全体が参照により本明細書に組み込まれる、２０１３年５月２３日に出願された米国仮出願第６１／８２６，９２３号の優先権を主張する。
【０００２】
[0002]本開示は、ワイヤレス通信システムに関し、ワイヤレス通信システムの論理的に個別のセルとの接続性のためのアップリンク電力ヘッドルーム管理のための技法に関する。
【背景技術】
【０００３】
[0003]ワイヤレス通信ネットワークは、音声、ビデオ、パケットデータ、メッセージング、ブロードキャスト、または他のコンテンツなどの様々な通信コンテンツを提供するために広く展開されている。これらのワイヤレスネットワークは、利用可能なネットワークリソースを共有することによって複数のユーザをサポートすることが可能な多元接続（multiple-access）ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、たとえば、ユーザ機器（ＵＥ）など、いくつかのモバイルエンティティのための通信をサポートすることができる、いくつかの基地局を含み得る。ＵＥは、ダウンリンク（ＤＬ）およびアップリンク（ＵＬ）を介して基地局と通信し得る。ＤＬ（または順方向リンク）は基地局からＵＥへの通信リンクを指し、ＵＬ（または逆方向リンク）はＵＥから基地局への通信リンクを指す。
【０００５】
[0005]第３世代パートナーシッププロジェクト（３ＧＰＰ（登録商標）：3rd Generation Partnership Project）ロングタームエボリューション（ＬＴＥ（登録商標）：Long Term Evolution）は、モバイル通信用グローバルシステム（ＧＳＭ（登録商標）：Global System for Mobile communications）とユニバーサルモバイルテレコミュニケーションズシステム（ＵＭＴＳ：Universal Mobile Telecommunications System）とに基づいてセルラー技術を発展させる。ＬＴＥ物理レイヤ（ＰＨＹ）は、発展型ノードＢ（ｅＮＢ）などの基地局と、ＵＥなどのモバイルエンティティとの間でデータと制御情報の両方を搬送する高効率な方法を与える。ＵＥは、キャリアアグリゲーション（ＣＡ：Carrier Aggregation）と呼ばれることがある、異なるキャリアを使用してデータを同時に受信または送信することのための複数のトランシーバシステムを装備し得る。現在のネットワークは、同じ無線ネットワークコントローラ（ＲＮＣ：radio network controller）の制御下でコロケートされたセルと通信するためのＣＡの使用を制限し得る。従来技術のこれらおよび他の制限を克服し、ネットワークが、より多様な変化するネットワーク構成またはトポロジーにおいてＣＡの利益を実現することを可能にすることが望ましいことがある。
【発明の概要】
【０００６】
[0006]ワイヤレス通信システムの論理的に個別の（コロケートされない）セルとの接続性のためのアップリンク電力ヘッドルーム管理のための方法、装置およびシステムについて、発明を実施するための形態において詳細に説明し、いくつかの態様を以下に要約する。この概要および以下の発明を実施するための形態は、統合された開示の補助的な部分として解釈されるべきであり、これらの部分は、重複する主題および／または補足的な主題を含み得る。いずれかのセクションの省略は、統合された適用例において説明するいかなる要素の優先順位または相対的な重要性をも示すものでない。セクション間の差は、代替実施形態の補足的な開示、追加の詳細、または異なる用語を使用した同一の実施形態の代替的説明を含むことがあり、これらはそれぞれの開示から明らかなはずである。
【０００７】
[0007]本明細書で使用する「論理的にコロケートされた」または「コロケートされた」は、１つまたは複数のプロセッサが、無線リンクレイヤの送信時間間隔（ＴＴＩ：Transmission Time Interval）内に送信されるデータに関するジョイントスケジューリング決定を実行する、２つまたはそれ以上のセルを指す。この間隔は、無線リンク技術に応じて、たとえば、約１ｍｓから８０ｍｓの間で変動し得る。逆に、本明細書で使用する「コロケートされない」または論理的にコロケートされない」は、ＴＴＩ間隔内にジョイントスケジューリングがない、協働するセルを指す。同様に、論理的にコロケートされたセルでは、各セルのＭＡＣレイヤは一緒に制御されるが、コロケートされない場合、各セルはそれ自体のＭＡＣレイヤを独立して制御する。
【０００８】
[0008]コロケートされたセルは通常同じ基地局に位置し得るが、コロケートされないセルは異なる基地局に位置し得る。とはいえ、本明細書で使用する「コロケートされた」または「コロケートされない」は、ＭＡＣおよびＲＬレイヤの制御に関する上記の論理的相違のみを指し、必ずしも、セルを特定の物理的距離または別のセルの基地局内にあるいはそれの外にあることに限定するとは限らない。
【０００９】
[0009]一態様では、ワイヤレス通信システムの論理的に個別のセルとの接続性のためのアップリンクキャリアアグリゲーションにおけるアップリンク電力ヘッドルーム管理のための方法が、単独でまたは別のネットワークエンティティとの組合せでネットワークエンティティによって、１つまたは複数のモバイルエンティティによって、あるいはその両方によって実行され得る。本方法は、ワイヤレス通信ネットワークの少なくとも２つの独立して制御されるセルによってサービスされるモバイルエンティティによるアップリンク送信についての総ＰＨ制約を受けて、モバイルエンティティのために、ワイヤレス通信ネットワークの少なくとも２つの独立して制御されるセルにわたるアップリンク電力割振りを決定することを含み得る。本方法は、上記で決定されたセルにわたるアップリンク電力割振りに基づいて、アップリンクサービングセルのためのＰＨ報告（PH reporting）を管理することをさらに含み得る。したがって、コロケートされないセルとのＣＡにおけるＰＨ報告が可能にされ得る。
【００１０】
[0010]本方法の追加の態様では、ＰＨ報告を管理することは、少なくとも２つの独立して制御されるセル間の明示的協調（explicit coordination）、少なくとも２つの独立して制御されるセル間の暗黙的協調（implicit coordination）、または少なくとも２つの独立して制御されるセルのうちの少なくとも１つによってモバイルエンティティからのＰＨ報告を構成することのうちの少なくとも１つによって実行され得る。明示的協調は、２つの独立して制御されるセル間の協調のための専用シグナリングを含み得るが、暗黙的協調は、２つの独立して制御されるセル間の協調のための専用シグナリングなしに実行され得る。別の態様では、少なくとも２つの独立して制御されるセルのうちの１つは１次セルであり、少なくとも２つの独立して制御されるセルのうちの別の１つは２次セルである。モバイルエンティティからのＰＨ報告を構成することは、独立して制御されるセルに与えるべきＰＨＲのタイプに関してモバイルエンティティに通知する、ｅＮＢから（明示的にまたは暗黙的に）シグナリングすることを含み得る。
【００１１】
[0011]ＰＨ報告を管理することが明示的協調によって実行される場合、本方法は、１次セルが２次セルのための最大アップリンク電力値を定義することを含み得る。さらに、本方法は、１次セルが、バックホールを介して最大アップリンク電力値を２次セルにシグナリングすることを含み得る。
【００１２】
[0012]逆に、ＰＨ報告を管理することが暗黙的協調によって実行される場合、少なくとも２つの独立して制御されるセルの各々は、モバイルエンティティから受信された電力ヘッドルーム報告（ＰＨＲ：Power Headroom Report）に基づいて、セルごとの部分ＰＨを決定し得る。各セルは、受信されたＰＨＲに基づいて、セルごとの所望の部分ＰＨを推論し得る。モバイルエンティティから受信されたＰＨＲは、モバイルエンティティのすべてのアンテナについてアグリゲートされた最大送信電力と、セルごとのＰＨとを含む情報を含んでいることがある。
【００１３】
[0013]一態様では、少なくとも２つの独立して制御されるセルの各々が、ＰＨＲと、定義された電力しきい値とに基づいて、モバイルエンティティ送信電力を決定し得る。たとえば、少なくとも２つの独立して制御されるセルの各々は、ＰＨＲと、モバイルエンティティのすべてのアンテナについてアグリゲートされた最大送信電力とに基づいて、モバイルエンティティ送信電力を決定し得る。一代替では、少なくとも２つの独立して制御されるセルの各々は、定義された電力しきい値なしに、ＰＨ制御情報に基づいてモバイルエンティティ送信電力を決定し得る。
【００１４】
[0014]いくつかの実施形態では、ＰＨ報告を管理することは、少なくとも２つの独立して制御されるセルの各々がモバイルエンティティからＰＨ制御情報を受信することによって実行され得、ここにおいて、モバイルエンティティは、ピーク最大電力低減（ＰＭＰＲ：Peak Maximum Power Reduction）に基づいてＰＨ制御情報を変更する。そのような場合、モバイルエンティティは、少なくとも２つの独立して制御されるセルのうちの少なくとも１つの送信電力に基づいてＰＭＰＲを計算し得る。
【００１５】
[0015]別の態様では、本方法は、送信タイプごとに電力を割り振ること、またはセルごとのＰＨ制約から送信タイプを除外することのうちの少なくとも１つによって、１つまたは複数の送信タイプのうちの１つに優先度を付けることをさらに含み得る。優先度を付けることは、チャネルタイプ、コンテンツタイプまたはセルタイプのうちの１つまたは複数に基づき得る。
【００１６】
[0016]他の実施形態では、ＰＨ管理のための方法は、キャリアアグリゲーションにおいてＰＨ制約を受けるモバイルエンティティによって実行され得る。本方法は、アップリンクキャリアアグリゲーションを使用して、モバイルエンティティからワイヤレス通信ネットワークの少なくとも２つの独立して制御されるセルにデータをシグナリングすることを含み得る。本方法は、モバイルエンティティから少なくとも２つの独立して制御されるセルの各々にアップリンク電力制御を管理するための情報を与えることをさらに含み得る。
【００１７】
[0017]一態様では、モバイルエンティティによって与えられる情報は、セルごとの最大送信電力とセルごとのＰＨとであり得るか、またはそれらを含み得る。代替または追加として、情報は、モバイルエンティティのすべてのアンテナについてアグリゲートされた最大送信電力であり得るか、またはそれを含み得る。
【００１８】
[0018]別の態様ではモバイルエンティティによって与えられる情報は、少なくとも２つの独立して制御されるセルの各々についてのＰＭＰＲを含むＰＨ報告であり得るか、またはそれを含み得る。そのような場合、モバイルエンティティによる本方法は、少なくとも２つの独立して制御されるセルのうちの少なくとも１つの送信電力に基づいてＰＭＰＲを計算することをさらに含み得る。
【００１９】
[0019]関係する態様では、上記で要約した方法と方法の態様とのいずれかを実行するためのワイヤレス通信装置が提供され得る。装置は、たとえば、メモリに結合されたプロセッサを含み得、ここにおいて、メモリは、上記で説明した動作を装置に実行させるためにプロセッサが実行するための命令を保持する。そのような装置のいくつかの態様（たとえば、ハードウェア態様）は、モバイルエンティティなどの機器、たとえばモバイルエンティティまたはアクセス端末などによって例示され得る。他の実施形態では、本技術の態様は、たとえば、基地局、ｅＮＢ、ピコセル、フェムトセルまたはホームノードＢなど、ネットワークエンティティにおいて実施され得る。いくつかの態様では、モバイルエンティティおよびネットワークエンティティは、本明細書で説明するように、本技術の態様を実行するためにインタラクティブに動作し得る。同様に、プロセッサによって実行されたとき、上記で要約した方法と方法の態様とをネットワークエンティティまたはアクセス端末に実行させる、符号化された命令を保持するコンピュータ可読記憶媒体を含む、製造品が提供され得る。
【図面の簡単な説明】
【００２０】
【図１】[0020]ワイヤレス電気通信システムの一例を概念的に示す概略図。
【図２】[0021]ワイヤレス通信システムにおける無線フレームおよびサブフレーム詳細の一例を概念的に示すブロック図。
【図３】[0022]本開示の一態様に従って構成された基地局／ｅＮＢおよびＵＥの設計を概念的に示すブロック図。
【図４】[0023]連続キャリアアグリゲーションタイプの一例を示すブロック図。
【図５】[0024]非連続キャリアアグリゲーションタイプの一例を示すブロック図。
【図６】[0025]本明細書で説明する電力ヘッドルーム管理が適用され得る、コロケートされないセルを伴うキャリアアグリゲーションの態様を示す概略図。
【図７】[0026]アップリンクキャリアアグリゲーションを使用して、モバイルエンティティをサービスしている１つまたは複数の独立して制御されるセルによって実行される電力ヘッドルーム管理のための例示的な方法を示す図。
【図８】[0027]図７によって示された例示的な方法と組み合わせられ得る追加の動作または態様の例を示す図。
【図９】図７によって示された例示的な方法と組み合わせられ得る追加の動作または態様の例を示す図。
【図１０Ａ】図７によって示された例示的な方法と組み合わせられ得る追加の動作または態様の例を示す図。
【図１０Ｂ】図７によって示された例示的な方法と組み合わせられ得る追加の動作または態様の例を示す図。
【図１１】[0028]図７〜図１０Ｂの方法による、アップリンク電力ヘッドルーム管理のための装置の一実施形態を示す図。
【図１２】[0029]１つまたは複数の独立して制御されるセルが電力ヘッドルーム管理のための方法、たとえば図７によって示された方法を実行することと協調して、モバイルエンティティが実行するための例示的な方法を示す図。
【図１３】[0030]図１２によって示された例示的な方法と組み合わせられ得る追加の動作または態様の例を示す図。
【図１４】[0031]図１２の方法による、独立して制御されるセルとのアップリンクキャリアアグリゲーションにおける電力ヘッドルーム管理をサポートする装置の一実施形態を示す図。
【発明を実施するための形態】
【００２１】
[0032]ワイヤレス通信システムにおける電力ヘッドルーム管理のための技法について本明細書で説明する。本技法は、ワイヤレスワイドエリアネットワーク（ＷＷＡＮ）およびワイヤレスローカルエリアネットワーク（ＷＬＡＮ）などの様々なワイヤレス通信ネットワークのために使用され得る。「ネットワーク」および「システム」という用語はしばしば互換的に使用される。ＷＷＡＮは、ＣＤＭＡ、ＴＤＭＡ、ＦＤＭＡ、ＯＦＤＭＡ、ＳＣ−ＦＤＭＡおよび／または他のネットワークであり得る。ＣＤＭＡネットワークは、ユニバーサル地上波無線アクセス（ＵＴＲＡ：Universal Terrestrial Radio Access）、ｃｄｍａ２０００、または同様の技術などの無線技術を実装し得る。ＵＴＲＡは、広帯域ＣＤＭＡ（ＷＣＤＭＡ（登録商標））およびＣＤＭＡの他の変形態を含む。ｃｄｍａ２０００技術は、ＩＳ−２０００、ＩＳ−９５およびＩＳ−８５６規格をカバーする。ＴＤＭＡネットワークは、モバイル通信用グローバルシステム（ＧＳＭ）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１６（ＷｉＭＡＸ（登録商標））、ＩＥＥＥ８０２．２０、Ｆｌａｓｈ−ＯＦＤＭ（登録商標）、または同様の技術などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE（登録商標）-Advanced）は、ダウンリンク（ＤＬ）上ではＯＦＤＭＡを採用し、アップリンク（ＵＬ）上ではＳＣ−ＦＤＭＡを採用する、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢ技術は、「第３世代パートナーシッププロジェクト２」（３ＧＰＰ２：3rd Generation Partnership Project 2）と称する団体からの文書に記載されている。ＷＬＡＮは、ＩＥＥＥ８０２．１１（ＷｉＦｉ（登録商標））、Ｈｉｐｅｒｌａｎ、または同様の技術などの無線技術を実装し得る。
【００２２】
[0033]ＣＡを使用して、同じＲＮＣの制御下にないコロケートされないセルと通信することは、現在のネットワークによってサポートされず、ＣＡの利益をコロケートされた場合に制限する。コロケートされないセルとのＣＡの使用に対する様々な技術的障害が存在し得る。したがって、本明細書で開示する方法、システムおよび装置の適用によってなど、ワイヤレス通信システムの独立して制御されるセルと通信するためのＣＡの使用を可能にすることに対するそのような技術的障害を克服することが望ましいことがある。本明細書で使用するコロケートされないセルは、別段に規定されていない限り、独立して制御されると仮定される。ＬＴＥでは、コロケートされないセルと通信するための複数のキャリアの使用は、時々、「マルチフロー」と呼ばれることがある。マルチフローは、たとえば、発展型ノードＢ（ｅＮＢ）と、ｅＮＢのカバレージエリア内の異なるキャリア上で動作しているスモールセル（たとえば、フェムトセル）との両方に、または異なるキャリア上の２つの異なるｅＮＢにデータを送るために、アップリンク上でモバイル端末によって使用され得る。
【００２３】
[0034]本明細書で説明する技法は、上記のワイヤレスネットワークおよび無線技術、ならびに他のワイヤレスネットワークおよび無線技術のために使用され得る。明快のために、本技法のいくつかの態様について、３ＧＰＰネットワークの例示的なコンテキストにおいて説明し、より詳細には、そのようなネットワークのためのモバイルエンティティ電力ヘッドルーム管理のコンテキストにおいて説明する。「例示的」という単語は、本明細書では、「例、事例、または例示の働きをすること」を意味するために使用する。本明細書で「例示的」と記載されたいかなる実施形態も、必ずしも他の実施形態よりも好ましいまたは有利であると解釈されるべきであるとは限らない。
【００２４】
[0035]図１に、ＬＴＥネットワークまたは何らかの他のワイヤレスネットワーク（たとえば、３Ｇネットワークなど）であり得る、ワイヤレス通信ネットワーク１００を示す。本明細書で使用する「ネットワークエンティティ」は、モバイルエンティティ、ＵＥ、または他のエンドユーザアクセス端末を明確に除外する。ワイヤレスネットワーク１００は、いくつかのｅＮＢ１１０ａ〜ｃと他のネットワークエンティティとを含み得る。ｅＮＢは、モバイルエンティティ（たとえば、ユーザ機器（ＵＥ））と通信するエンティティであり得、基地局、ノードＢ、アクセスポイント、または他の用語で呼ばれることもある。ｅＮＢは、一般に基地局よりも多くの機能を有するが、「ｅＮＢ」および「基地局」という用語は、本明細書では互換的に使用される。各ｅＮＢ１１０ａ〜ｃは、特定の地理的エリアに通信カバレージを与え得、カバレージエリア内に位置するモバイルエンティティ（たとえば、ＵＥ）のための通信をサポートし得る。ネットワーク容量を改善するために、ｅＮＢの全体的なカバレージエリアは複数（たとえば、３つ）のより小さいエリアに区分され得る。各々のより小さいエリアは、それぞれのｅＮＢサブシステムによってサービスされ得る。３ＧＰＰでは、「セル」という用語は、この用語が使用されるコンテキストに応じて、ｅＮＢの最小カバレージエリアおよび／またはこのカバレージエリアをサービスしているｅＮＢサブシステムを指すことがある。
【００２５】
[0036]基地局は、マクロセル、ピコセル、フェムトセル、および／または他のタイプのスモールセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥによる制限付きアクセス（たとえば、限定加入者グループ（ＣＳＧ：Closed Subscriber Group）中のＵＥ、またはクローズドアクセス）を可能にし得る。図１に示された例では、ｅＮＢ１１０ａ、１１０ｂ、および１１０ｃは、それぞれマクロセルグループ１０２ａ、１０２ｂ、および１０２ｃのためのマクロｅＮＢであり得る。セルグループ１０２ａ、１０２ｂ、および１０２ｃの各々は複数（たとえば、３つ）のセルまたはセクタを含み得る。基地局１１０ｘはピコセル１０２ｘのためのピコ基地局であり得る。基地局１１０ｙは、フェムトセル１０２ｙのためのフェムト基地局またはフェムトアクセスポイント（ＦＡＰ）であり得、フェムトセル１０２ｙは、ＦＡＰ１１０ｚの隣接するフェムトセル１０２ｚとの重複するまたは重複しないカバレージエリアを有し得る。マクロセルとスモールセルとは、異なるキャリア上で動作し得、異なるＲＮＣによって制御され得、実質的に異なる電力レベルで動作し得る。たとえば、スモールセルは、そのスモールセルをもつワイヤレス通信ネットワーク中の各マクロセルよりも実質的に小さい（たとえば、平均マクロセル電力の１０％よりも小さいか、またはそれの５％よりも小さい）送信電力を有することによって特徴づけられ得る。より詳細な例では、マクロセルは、数個の都市ブロックの範囲で、または田園地帯ではそれ以上の範囲で約４０Ｗの電力で送信し得るが、スモールセルは、約１〜２Ｗの範囲内の電力で送信し、約１００フィートほどの範囲を有し得る。
【００２６】
[0037]ワイヤレスネットワーク１００はまた、リレー、たとえば、リレー１１０ｒを含み得る。リレーは、上流局（たとえば、ｅＮＢまたはＵＥ）からデータの送信を受信し、そのデータの送信を下流局（たとえば、ＵＥまたはｅＮＢ）に送ることができるエンティティであり得る。リレーはまた、他のＵＥに対する送信を中継することができるＵＥであり得る。
【００２７】
[0038]ネットワークコントローラ１３０は、ｅＮＢ／基地局のセットに結合し得、これらのｅＮＢ／基地局の協調および制御を行い得る。ネットワークコントローラ１３０は、単一のネットワークエンティティまたはネットワークエンティティの集合を含み得る。ネットワークコントローラ１３０はバックホールを介してｅＮＢ／基地局と通信し得る。ｅＮＢ／基地局はまた、たとえば、直接、あるいはワイヤレスまたはワイヤラインバックホールを介して間接的に、互いと通信し得る。
【００２８】
[0039]ＵＥ１２０はワイヤレスネットワーク１００全体にわたって分散され得、各ＵＥは固定または移動であり得る。ＵＥは、移動局、端末、アクセス端末、加入者ユニット、局、または同様の用語で呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、スマートフォン、ネットブック、スマートブック、または同様のデバイスであり得る。ＵＥは、ｅＮＢ、リレー、または他のネットワークノードと通信することが可能であり得る。ＵＥはまた、他のＵＥとピアツーピア（Ｐ２Ｐ）に通信することが可能であり得る。
【００２９】
[0040]ワイヤレスネットワーク１００は、ＤＬおよびＵＬの各々のための単一のキャリアまたは複数のキャリア上での動作をサポートし得る。キャリアは、通信のために使用される周波数の範囲を指すことがあり、いくつかの特性に関連付けられ得る。複数のキャリア上での動作は、マルチキャリア動作またはキャリアアグリゲーションと呼ばれることもある。ＵＥは、ｅＮＢまたは基地局との通信のために、ＤＬのための１つまたは複数のキャリア（またはＤＬキャリア）と、ＵＬのための１つまたは複数キャリア（またはＵＬキャリア）との上で動作し得る。ｅＮＢまたは基地局は、１つまたは複数のＤＬキャリア上でデータと制御情報とをＵＥに送り得る。ＵＥは、１つまたは複数のＵＬキャリア上でデータと制御情報とをｅＮＢまたは基地局に送り得る。１つの設計では、ＤＬキャリアはＵＬキャリアとペアリングされ得る。この設計では、所与のＤＬキャリア上のデータ送信をサポートするための制御情報は、そのＤＬキャリアおよび関連付けられたＵＬキャリア上で送られ得る。同様に、所与のＵＬキャリア上のデータ送信をサポートするための制御情報は、そのＵＬキャリアおよび関連付けられたＤＬキャリア上で送られ得る。別の設計では、クロスキャリア制御がサポートされ得る。この設計では、所与のＤＬキャリア上のデータ送信をサポートするための制御情報は、所与のＤＬキャリアではなく別のＤＬキャリア（たとえば、ベースキャリア）上で送られ得る。
【００３０】
[0041]ワイヤレスネットワーク１００は、所与のキャリアのためのキャリア拡大をサポートし得る。キャリア拡大のために、キャリア上の異なるＵＥのために異なるシステム帯域幅がサポートされ得る。たとえば、ワイヤレスネットワークは、（ｉ）第１のＵＥ（たとえば、ＬＴＥリリース８または９あるいは何らかの他のリリースをサポートするＵＥ）のためのＤＬキャリア上の第１のシステム帯域幅と、（ｉｉ）第２のＵＥ（たとえば、後のＬＴＥリリースをサポートするＵＥ）のためのＤＬキャリア上の第２のシステム帯域幅とをサポートし得る。第２のシステム帯域幅は第１のシステム帯域幅と完全にまたは部分的に重複し得る。たとえば、第２のシステム帯域幅は、第１のシステム帯域幅と、第１のシステム帯域幅の一方または両方の端部における追加の帯域幅とを含み得る。追加のシステム帯域幅は、データおよび場合によっては制御情報を第２のＵＥに送るために使用され得る。
【００３１】
[0042]ワイヤレスネットワーク１００は、単入力単出力（ＳＩＳＯ）、単入力多出力（ＳＩＭＯ）、多入力単出力（ＭＩＳＯ）、および／または多入力多出力（ＭＩＭＯ）を介したデータ送信をサポートし得る。ＭＩＭＯの場合、送信機（たとえば、ｅＮＢ）は、複数の送信アンテナから受信機（たとえば、ＵＥ）にある複数の受信アンテナにデータを送信し得る。ＭＩＭＯは、（たとえば、異なるアンテナから同じデータを送信することによって）信頼性を改善し、および／または（たとえば、異なるアンテナから異なるデータを送信することによって）スループットを改善するために使用され得る。
【００３２】
[0043]ワイヤレスネットワーク１００は、シングルユーザ（ＳＵ）ＭＩＭＯ、マルチユーザ（ＭＵ）ＭＩＭＯ、多地点協調（ＣｏＭＰ：Coordinated Multi-Point）、または同様の通信モードをサポートし得る。ＳＵ−ＭＩＭＯの場合、セルは、プリコーディングを用いてまたは用いずに、所与の時間周波数リソース上で複数のデータストリームを単一のＵＥに送信し得る。ＭＵ−ＭＩＭＯの場合、セルは、プリコーディングを用いてまたは用いずに、同じ時間周波数リソース上で複数のデータストリームを複数のＵＥに（たとえば、１つのデータストリームを各ＵＥに）送信し得る。ＣｏＭＰは協働送信および／またはジョイント処理を含み得る。協働送信の場合、データ送信が、意図されたＵＥのほうへ、および／または１つまたは複数の被干渉ＵＥから離れてステアリングされるように、複数のセルは、所与の時間周波数リソース上で１つまたは複数のデータストリームを単一のＵＥに送信し得る。ジョイント処理の場合、複数のセルは、プリコーディングを用いてまたは用いずに、同じ時間周波数リソース上で複数のデータストリームを複数のＵＥに（たとえば、１つのデータストリームを各ＵＥに）送信し得る。
【００３３】
[0044]ワイヤレスネットワーク１００は、データ送信の信頼性を改善するためにハイブリッド自動再送信（ＨＡＲＱ：hybrid automatic retransmission）をサポートし得る。ＨＡＲＱでは、送信機（たとえば、ｅＮＢ）は、データパケット（またはトランスポートブロック）の送信を送り得、必要な場合、パケットが受信機（たとえば、ＵＥ）によって正しく復号されるか、または最大回数の送信が送られるか、または何らかの他の終了条件に遭遇するまで、１回または複数回の追加の送信を送り得る。したがって、送信機は可変回のパケットの送信を送り得る。
【００３４】
[0045]ワイヤレスネットワーク１００は同期または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００３５】
[0046]ワイヤレスネットワーク１００は、周波数分割複信（ＦＤＤ）または時分割複信（ＴＤＤ）を利用し得る。ＦＤＤの場合、ＤＬとＵＬとは別々の周波数チャネルを割り振られ得、ＤＬ送信とＵＬ送信とは２つの周波数チャネル上で同時に送られ得る。ＴＤＤの場合、ＤＬとＵＬとは同じ周波数チャネルを共有し得、ＤＬ送信とＵＬ送信とは、異なる時間期間において同じ周波数チャネル上で送られ得る。
【００３６】
[0047]図２に、たとえば、ＬＴＥにおいて使用されるダウンリンクフレーム構造２００を示す。ダウンリンクの送信タイムラインは、無線フレーム２０２、２０４、２０６の単位に区分され得る。各無線フレームは、所定の持続時間（たとえば、１０ミリ秒（ｍｓ））を有し得、０〜９のインデックスをもつ１０個のサブフレーム２０８に区分され得る。各サブフレームは２つのスロット２１０を含み得る。したがって、各無線フレームは、０〜１９のインデックスをもつ２０個のスロットを含み得る。各スロットは、Ｌ個のシンボル期間２１２、たとえば、図２に示されているようにノーマルサイクリックプレフィックス（ＣＰ：cyclic prefix）の場合は７個のシンボル期間、または拡張サイクリックプレフィックスの場合は６個のシンボル期間を含み得る。ノーマルＣＰおよび拡張ＣＰは、本明細書では異なるＣＰタイプとして言及され得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３７】
[0048]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００３８】
[0049]ｅＮＢは、図２の第１のシンボル期間全体において示されているが、各サブフレームの第１のシンボル期間の一部のみにおいて物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示された例では、Ｍ＝３である。ｅＮＢは、各サブフレームの最初のＭ個（図２ではＭ＝３）のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのリソース割振りに関する情報と、ダウンリンクチャネルのための制御情報とを搬送し得る。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３９】
[0050]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００４０】
[0051]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）、または同様の基準などの様々な基準に基づいて選択され得る。
【００４１】
[0052]図３に、図１中の基地局／ｅＮＢのうちの１つであり得る基地局／ｅＮＢ１１０および図１中のＵＥのうちの１つであり得るＵＥ１２０の設計のブロック図を示す。ＬＴＥマルチフローシナリオでは、基地局１１０は図１中のマクロｅＮＢ１１０ｃであり得、ＵＥ１２０はＵＥ１２０ｙであり得る。基地局１１０はまた、フェムトセル、ピコセルを含むアクセスポイントなど、何らかの他のタイプの基地局、たとえばフェムトセル１１０ｚであり得る。基地局１１０はアンテナ３３４ａ〜３３４ｔを備え得、ＵＥ１２０はアンテナ３５２ａ〜３５２ｒを備え得る。
【００４２】
[0053]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨ、または他のチャネルのためのものであり得る。データは、ＰＤＳＣＨ、または他のチャネルのためのものであり得る。プロセッサ３２０は、データシンボルおよび制御シンボルを取得するために、それぞれデータおよび制御情報を処理（たとえば、符号化およびシンボルマッピング）し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、出力サンプルストリームを取得するために、（たとえば、ＯＦＤＭまたは他の符号化方法のために）それぞれの出力シンボルストリームを処理し得る。各変調器３３２はさらに、ダウンリンク信号を取得するために、出力サンプルストリームを処理（たとえば、アナログへの変換、増幅、フィルタ、およびアップコンバート）し得る。変調器３３２ａ〜３３２ｔからのダウンリンク信号は、それぞれアンテナ３３４ａ〜３３４ｔを介して送信され得る。
【００４３】
[0054]ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、入力サンプルを取得するために、それぞれの受信信号を調整（たとえば、フィルタ処理、増幅、ダウンコンバート、およびデジタル化）し得る。各復調器３５４は、受信シンボルを取得するために、（たとえば、ＯＦＤＭまたは他の変調方法のために）入力サンプルをさらに処理し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００４４】
[0055]アップリンク上では、ＵＥ１２０において、送信プロセッサ３６４は、データソース３６２から（たとえば、１次アップリンク共有チャネル（ＰＵＳＣＨ：Primary Uplink Shared Channel）のための）データを受信し、処理し得、コントローラ／プロセッサ３８０から（たとえば、１次アップリンク制御チャネル（ＰＵＣＣＨ：Primary Uplink Control Channel）のための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭまたは他の変調方法のために）変調器３５４ａ〜３５４ｒによって処理され、基地局１１０に送信され得る。基地局１１０において、ＵＥ１２０からのアップリンク信号は、アンテナ３３４によって受信され、復調器３３２によって処理され、可能な場合はＭＩＭＯ検出器３３６によって検出され、ＵＥ１２０によって送られた復号されたデータと制御情報とを取得するために、受信プロセッサ３３８によってさらに処理され得る。プロセッサ３３８は、復号されたデータをデータシンク３３９に与え、復号された制御情報をコントローラ／プロセッサ３４０に与え得る。
【００４５】
[0056]コントローラ／プロセッサ３４０および３８０は、それぞれ基地局１１０およびＵＥ１２０における動作を指示し得る。基地局１１０におけるプロセッサ３４０および／または他のプロセッサとモジュールは、図７〜図１０Ｂに示す機能ブロック、および／または本明細書で説明する技法のための他のプロセスを実行するか、またはその実行を指示し得る。ＵＥ１２０におけるプロセッサ３８０および／または他のプロセッサとモジュールはまた、図１２〜図１３に示す機能ブロック、および／または本明細書で説明する技法のための他のプロセスを実行するか、またはその実行を指示し得る。メモリ３４２および３８２は、それぞれ基地局１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００４６】
[0057]ＬＴＥにおける高度無線リンク機能の例として、ＬＴＥアドバンストＵＥは、各方向における送信のために使用される（５つのコンポーネントキャリアを使用する）最高合計１００Ｍｈｚのために、キャリアアグリゲーションにおいて使用されるコンポーネントキャリアに割り振られた２０Ｍｈｚ帯域幅中のスペクトルを使用することができる。概して、アップリンク上ではダウンリンクよりも少ないトラフィックが送信され、したがって、アップリンクスペクトル割振りはダウンリンク割振りよりも小さくなり得る。たとえば、２０Ｍｈｚがアップリンクに割り当てられる場合、ダウンリンクは１００Ｍｈｚを割り当てられ得る。これらの非対称ＦＤＤ割当ては、スペクトルを節約し、ブロードバンド加入者による一般に非対称な帯域利用にぴったり合う。
【００４７】
[0058]ＬＴＥアドバンストモバイルシステムでは、２つのタイプのキャリアアグリゲーション（ＣＡ）、すなわち、連続ＣＡおよび非連続ＣＡが使用され得る。それらを図４および図５に示す。非連続ＣＡは、図５によって示されるように、複数の利用可能なコンポーネントキャリア５００が周波数帯に沿って分離されたときに生じる。一方、連続ＣＡは、図４によって示されるように、複数の利用可能なコンポーネントキャリア４００が互いに隣接するときに生じる。非連続ＣＡと連続ＣＡの両方は、ＬＴＥアドバンストＵＥの単一のユニットを処理するために複数のＬＴＥ／コンポーネントキャリアをアグリゲートするために使用され得る。ＬＴＥアドバンストＵＥにおける非連続ＣＡでは、周波数帯域に沿ってキャリアが分離されるので、複数の無線周波数受信ユニットと複数の高速フーリエ変換（ＦＦＴ：fast Fourier transform）とが配備され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性がかなり変わり得る。
【００４８】
[0059]したがって、非連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅＮＢ）が各コンポーネントキャリア上で固定の送信電力を有するＬＴＥアドバンストシステムでは、各コンポーネントキャリアの有効カバレージまたはサポート可能な変調およびコーディングが異なり得る。連続ＣＡと非連続ＣＡの両方は、ＵＥにおいて増加した処理および電力リソースを必要とし得る。したがって、ＵＥは、それがＣＡの使用を制限するための理由を検出したとき、使用されるキャリアの数を、利用可能なキャリアの総数よりも小さい何らかの数に制限し得る。たとえば、ＵＥは、リンクが単一のキャリアに制限されることを要求し得る。そのような考慮事項は、ＵＥが、異なるキャリアを使用するコロケートされないセルによってサービスされているときにも適用され得る。
ＬＴＥマルチフローにおける電力ヘッドルーム報告および管理
[0060]同じ無線アクセス技術（ＲＡＴ：Radio Access Technology）で動作しているコロケートされない（独立して制御される）セルとのマルチセル、たとえば、デュアルセル接続性は、３ＧＰＰリリース１２における拡張に関する分野である。図６に、ＵＥ６０２が、異なる独立して制御されるセル６０６、６０８に同時に接続される、ワイヤレスシステム６００を示す。１次セルと呼ばれる、これらのセルのうちの１つ６０６は、第１のカバレージエリア６０４を有し、第１のキャリア上でＰＵＳＣＨとＰＵＣＣＨとを受信し得る。２次セルと呼ばれる、これらのセルのうちの別の１つ６０８は、第２のカバレージエリア６１０を有し、第２のキャリア上で（ＰＵＣＣＨではなく）ＰＵＳＣＨを受信し得る。ＵＥ６０２は、カバレージエリア６０４とカバレージエリア６１０との間の重複するエリア内に位置し得る。各セル６０６、６０８は、両方のセルがアップリンク情報を受信することができるように、ＵＥ６０２が使用すべき最小または最適送信電力を指定する必要があり得る。そうするために、セルの各々は、ＵＥ６０２から電力ヘッドルーム（ＰＨ）報告を受信し、ＵＥの電力限界を超えない、対応するアップリンクコンポーネントキャリアのための要求されたまたは指定された送信電力をＵＥに与え得る。
【００４９】
[0061]セルがコロケートされた（同じサービングｅＮＢによって制御される）とき、スジューラは、スケジュールされたアップリンク送信がＵＥの送信電力限界を超えないこと、たとえば、同時に送信されるすべてのアップリンクコンポーネントキャリアのために指定された電力により、ＵＥが電力限界を超えることにならないことを保証し得る。セル６０８、６０６が独立して制御される場合、異なるセル６０６、６０８によって指定された送信電力を協調させることの問題が起こり得る。たとえば、協調がなければ、セル６０６、６０８によって指定されたアップリンク送信電力の和は、指定された送信電力レベルの各々が電力限界を超えない場合でも、ＵＥの電力限界を超えることがある。
【００５０】
[0062]以前のＬＴＥリリース、たとえばＬＴＥリリース１０または１１では、キャリアアグリゲーションプロトコルは、コロケートされた（共通に制御される）セルの場合にのみデュアルセル接続性をサポートすることに限定されていた。そのような以前のデュアルのコロケートされたセル接続性では、スケジューリングは、ジョイントメディアアクセス制御（ＭＡＣ：Media Access Control）機構を使用してキャリアにわたって達成され得る。
【００５１】
[0063]コロケートされないセルのためのマルチセル接続性の拡張は、コロケートされたセルを使用するマルチセル接続性のための前の手法の様々な態様を変更することを必要とし得る。たとえば、１次および２次セル上のＰＵＣＣＨの実装、より古いＵＥのための後方互換性、バッファステータス報告（ＢＳＲ：Buffer Status Report）の処理およびタイミングはすべて、コロケートされたセルとのキャリアアグリゲーションにおいて使用される技法の調整、またはＰＨ管理のための新しい技法の開発を必要とし得る。ＰＨ管理のための既存のソリューションへの追加の変更、またはＰＨ管理のための新しいソリューションが、コロケートされないセルとのアップリンクキャリアアグリゲーションのための電力ヘッドルーム管理を改善するために、必要とされるか、または望ましいことがある。少なくとも１つのモバイルエンティティと通信している１つまたは複数のセルの少なくとも１つのプロセッサによるＰＨ管理のためのアルゴリズムを含む、ＰＨ管理のための様々な技法について以下でより詳細に説明する。
【００５２】
[0064]ＵＥは、ユーザ安全、ハードウェア制限、および過剰干渉の防止などの考慮事項に基づいて、定義された電力限界を受け得る。電力ヘッドルームは、ＵＥのための定義された総送信電力限界（ＰCMAX）と、現在時間においてＵＥによって使用されているアグリゲート送信電力との間の差を指す。電力ヘッドルームは、ＵＥが、所与の時間に、それの総電力限界を超えることなしにそれの送信電力をどのくらいだけ増加させることができるかを示す。
【００５３】
[0065]ＬＴＥリリース１０／１１実装形態では、電力ヘッドルームは２つの異なるタイプに分類され得る。ＰＨの第１のタイプは、キャリア上のＰＵＳＣＨのみの送信を仮定した電力ヘッドルームを反映し得、ＰCMAXと、ＰＵＳＣＨ上の現在の送信電力との間の差によって決定され得る。ＰＨの第２のタイプは、キャリア上の組み合わせられたＰＵＳＣＨおよびＰＵＣＣＨ送信を仮定した電力ヘッドルームを反映し得、ＰCMAXと、ＰＵＳＣＨおよびＰＵＣＣＨ上の現在の送信電力との間の差によって決定され得る。
【００５４】
[0066]コロケートされたセルとのキャリアアグリゲーションでは、ＰＨは、以下のように、異なるＰＨタイプについてコンポーネントキャリアごとに決定され、拡張ＰＨ報告（ｅＰＨＲ：enhanced PH Report）中で報告され得る。第１のタイプの場合、コンポーネントキャリアごとのＰＨは、ｃが、セル／コンポーネントキャリアを識別するインデックスである、コンポーネントキャリアに割り振られた最大送信電力（ＰCMAX,C）と、同じコンポーネントキャリアのためのＰＵＳＣＨ電力（ＰPUSCH,C）との間の差によって決定され得る。ＰＵＳＣＨのための送信電力は、（電力スケーリングの前に、ただし、キャリアごとの制限ＰCMAX,Cを含めて電力制御アルゴリズムによって決定され得ることに留意されたい。第２のタイプの場合、１次コンポーネントキャリアのためのＰＨは、１次コンポーネントキャリアに割り振られた最大送信電力（ＰCMAX,C）と、同じ１次コンポーネントキャリアのためのＰＵＳＣＨ電力とＰＵＣＣＨ電力との和（ＰPUSCH,CおよびＰPUCH,C）との間の差によって決定され得る。ｅＰＨＲは、コンポーネントキャリアごとのＰＨと各コンポーネントキャリアのためのＰCMAX,Cとを含み、ＵＥの全体的な総電力出力ＰCMAXを含まないことがある。総電力出力ＰCMAXは、コロケートされた場合では報告されないことがある。コロケートされた場合、コンポーネントキャリアは共通に制御されるので、対応するコンポーネントキャリアの各セルは、どのくらいの送信電力が他のセルに割り振られているかを追跡することができる。したがって、ｅＰＨＲは、コロケートされた場合ではＰＨの制御のための十分な情報を含む。
【００５５】
[0067]対照的に、コロケートされないセルによるＣＡにおける使用のために、異なる手法が有利であり得る。帯域内隣接ＣＡの場合、アップリンクＰＨは、電力が、ＰCMAX（または下限）に達するまでセル／コンポーネントキャリアにわたって一様に増加されると仮定して報告され得る。帯域間ＣＡの場合、電力は、セル／コンポーネントキャリアにわたって独立して増加され得る。この場合、セル間のスケジューリング協調の欠如が電力制限条件の下で性能に影響を及ぼすことがある。
【００５６】
[0068]ＵＥによってサービングセルに与えられるＰＨ報告（ＰＨＲ）は、コロケートされた場合では、ＰＨ報告をトリガするためのいくつかのＲＲＣパラメータ、たとえば、ｐｅｒｉｏｄｉｃＰＨＲ−Ｔｉｍｅｒ、ｐｒｏｈｉｂｉｔＰＨＲ−Ｔｉｍｅｒ、およびｄｌ−ＰａｔｈＬｏｓｓＣｈａｎｇｅパラメータに基づいてトリガされ得る。これらのパラメータの目的について以下で説明する。周期ＰＨ報告は、各報告の後にリセットされ得るｐｅｒｉｏｄｉｃＰＨＲ−Ｔｉｍｅｒの満了によってトリガされ得る。イベントベース報告は、たとえば、ＰＨ報告機能の構成または再構成によって、あるいはアップリンクＣＡのための２次セルのアクティブ化によってトリガされ得る。組み合わせられた周期およびイベントベーストリガリングは、たとえば、ＵＥが新しいアップリンク送信リソースを有し、以下のうちの少なくとも１つが生じたとき、ｐｒｏｈｉｂｉｔＰＨＲ−Ｔｉｍｅｒの満了時にトリガを生成することを含み得る。経路損失測定値が、最後のＰＨＲ以来、ｄｌ−ＰａｔｈＬｏｓｓＣｈａｎｇｅよりも多く変化したか、または、セルｃのための必要とされる電力バックオフピーク最大電力低減（ＰＭＰＲｃ）がｄｌ−ＰａｔｈＬｏｓｓＣｈａｎｇｅよりも多く変化し、ＵＥが、ＰＨＲがそれに関係する送信時間間隔（ＴＴＩ）においてセルｃ上のＰＵＳＣＨ送信またはＰＵＣＣＨ送信のいずれかを有する。変数ｄｌ−ＰａｔｈＬｏｓｓＣｈａｎｇｅは、様々な値のうちのいずれか１つ、たとえば、＋１ｄＢ、＋３ｄＢ、＋６ｄＢ、またはＰＨ報告を無効にするために指定された列挙値までのうちの１つを有し得る。
【００５７】
[0069]コロケートされないサービングセルへのマルチセル接続性のための電力ヘッドルーム報告に関して、異なるシナリオが適用可能であり得る。アップリンクのための単一の電力増幅器（ＰＡ）を使用する帯域内隣接ＣＡシナリオでは、独立した電力制御により、セルにわたる送信電力スペクトル密度（送信ＰＳＤ：Power Spectral Density）および電力の有意な変動が生じることがある。帯域内の場合、いくつのキャリアが使用中であるかに応じて動作点が劇的に変動するので、および、ＰＡが一般的な動作範囲についてあまり容易に最適化されないことがあるので、アップリンク送信のための電力効率および動作点に関してＰＡ設計が難しいことがある。ＰＨ報告は、ＬＴＥリリース１０の場合と同様の方法で対処され得る。たとえば、ＵＥは、（定義によればコンポーネントキャリアごとである）ＰＨｃとＰCMAX,Cとを報告するとき、アップリンク送信電力がすべてのコンポーネントキャリア上で等しく増加されると仮定し、したがって、コンポーネントキャリアの対応するセルに等しい値を報告し得る。
【００５８】
[0070]複数のＰＡ（帯域ごとに１つ）を使用する、帯域間ＣＡ単一ＲＡＴシナリオの場合、帯域内手法は望ましくないか、または実行可能でないことがある。帯域間ＣＡは、マルチフローのための最も実際的なシナリオであり得、帯域内ＣＡとは異なり、難しいＰＡ設計問題を暗示しないことがある。しかしながら、セルごとの独立した報告を指定する既存のＰＨ報告方法およびプロトコルは、帯域間シナリオのためには不十分であり得る。
【００５９】
[0071]マルチフローは、ＵＥ電力制限を超えることを回避するために協調スケジューリングに依拠することができない。マルチフロー協調がない場合、課題は、ＵＥ電力制限条件を回避しながら、アップリンクコンポーネントキャリアにわたるスケジューリングフレキシビリティをどのように保持するかであり得る。たとえば、２つのＰＡを有するＵＥについて考える。各ＰＡは、ＰCMAX,1＝ＰCMAX,2＝２３ｄＢｍを有し有し得る。このＵＥの場合、全体的ＰＣＭＡＸも２３ｄＢｍに等しくなり得る。コロケートされた場合では、サービングｅＮＢは、スケジューリング（たとえば、優先度付け、時分割多重化（ＴＤＭ））を介して、ＵＥの全体的総送信電力出力がＵＥの全体的送信電力限界よりも小さいこと（たとえば、＜２３ｄＢｍ）を保証することができる。
【００６０】
[0072]コロケートされないマルチセル、たとえば、デュアルセル接続性の場合、異なるセルによるコンポーネントキャリアの独立したスケジューリングが、ＵＥアップリンク電力制御に関する問題を生じることがある。たとえば、各セルｃが、ＰCMAX,Cのみに基づいて、対応するコンポーネントキャリアのアップリンク物理チャネルのための電力をスケジュールした場合、アップリンクコンポーネントキャリアのうちの２つ以上が同じＴＴＩにおいてスケジュールされたとき、全体的ＵＥ送信電力は、時々、２３ｄＢｍよりも大きくなり得る。逆に、ＵＥが、ＰCMAX,Cを全体的ＵＥ出力電力限界よりも小さくキャッピングした場合、ＵＬ性能はセルについて劣化し得る。ＵＥは、一般に、常に複数のアップリンクキャリア上で送信するようにスケジュールされず、したがって、バックオフすることは時々不要であり得るので、各セルが他のセルのＰＨＲに基づいてアップリンク電力をバックオフすることは準最適な性能につながり得る。
【００６１】
[0073]上記の問題は、アップリンク電力制御に関係するある問題が、アップリンク電力制御に関連する別の問題に悪影響を及ぼすことなしに、完全に解決され得ないような、競合する考慮事項から起こり得る。独立して制御されるアップリンクコンポーネントキャリアに関するアップリンク電力制御問題に対処するための潜在的手法は、たとえば、ＵＥ報告方法の変更なしに弱い（たとえば、静的または半静的）セル協調を実装すること、または、ＵＥ報告方法を変更し、ＰＨ管理問題を解決するためのセル間協調への依拠を控えることを含み得る。
【００６２】
[0074]マルチフローＰＨ報告を扱うための様々な高レベル方法が可能であり得、以下で要約される。これらの方法は独立して適用され得、選択された方法が時々除外され得る。１つの方法は、ＰＨ報告のための新しいトリガを実装することを含み得る。新しいＰＨ報告トリガは、セルが、アップリンク（増加または減少）電力使用量を著しく、たとえば、ＰＨ報告および管理に影響を及ぼすか、またはしきい値を超えるのに実質的に十分に、変化させたとき、アップリンクＣＡ接続に参加している他のセルに通知するために使用され得る。
【００６３】
[0075]別の方法は、新しいＰＨＲを実装することを含み得る。マルチフロー接続に参加している第１のセルのための新しいＰＨＲは、マルチフロー接続に参加している他のセルによる電力使用量を含み得る。新しいＰＨＲを使用して、ＵＥは、マルチフロー接続のためのアグリゲートＰＨをすべての参加セルに通知し続け得る。
【００６４】
[0076]別の方法は緩いセル協調を含み得る。緩いセル協調は、電力制限を最小限に抑え、より良い性能を与えるための送信電力の分散協調を意味する。緩いセル協調は、協調がセル間のスケジューリング協調を除外するという点で弱いと考えられ得る。
【００６５】
[0077]別の方法は、ＵＥがそれの全体的送信電力を制限するときのＵＥによる電力優先度付けを含み得る。ＵＥが、それが電力制限状況にあること（たとえば、低いバッテリー電力、ＵＥ最大送信電力を超える、または他の電力制限条件）を検出したとき、異なるセルからの矛盾する電力要件は、すべての要求された電力よりも小さい電力が１つまたは複数のアップリンクコンポーネントキャリアに割り振られるように、ＵＥによって優先度を付けられ得る。
【００６６】
[0078]帯域間キャリアアグリゲーションのためのマルチフローＰＨ報告に関する問題を解決するためのより詳細な態様は、たとえば、マルチフローＵＥのための２次セル最大電力値をオーバーライドすることを含み得る。最大電力は、ＵＥの最大送信電力をキャッピングするようにセルによって構成されたパラメータであり得る。１次セルは、マルチフローＵＥのための２次セル最大電力値を１次セル最大電力の小部分に設定または指定し得る。これは、たとえば、１次セルが、バックホールを介して２次セルに最大電力オーバーライドをシグナリングすることによって達成され得る。この手法は、参加マルチフローセル間の明示的協調と呼ばれることがある。
【００６７】
[0079]明示的協調の利点は、たとえば、ＵＥがそれの指定された電力制限を超える確率を低減することと、既存のＬＴＥ規格への変更を最小限に抑えることと、オーバーヘッドを低減することとを含み得る。明示的協調では、限定された協調が、セルの間で必要とされ、２次セルのための最大電力オーバーライド値を指定することに限定され得る。さらに、この手法は、新しいＰＨ報告トリガリング方法を実装することを必要としない。欠点は、たとえば、新しい最大電力があまりに低く設定された場合、２次セルの性能に悪影響を及ぼすことを含み得る。これは、ＵＬキャリアアグリゲーションに関するマルチフローの利得を制限し得る。欠点は、電力制限されないシナリオにおいて２次セル上のピークＵＬスループットを制限することをさらに含み得る。また、この手法は、最大電力オーバーライドがレート制御されないことがあるので、ＰＵＣＣＨのリンクバジェットに悪影響を及ぼし得る。すなわち、最大電力オーバーライドは、アップリンクトラフィックレートの変動により、時々、必要よりも低いことがある。以下で説明する例示的な例では、各セルは、対応するコンポーネントキャリア上で動作すると仮定される。したがって、「セル」は、時々、「コンポーネントキャリア」と互換的に使用されることがある。
【００６８】
[0080]第２の代替手法では、参加マルチフローセル間の暗黙的協調は、以前のＬＴＥリリースにおけるＰＨ報告に似ていることがある。各セルは、使用される総電力を決定し、一方または両方セルに対して電力制限を適用すべきときを識別するために、ＵＥによって報告された、ＰCMAX,C（セルごとの、ＵＥのための総送信電力限界、ここで、ｃは、セルを示すインデックスである）と、ＰＨC（セルごとの、現在の電力ヘッドルーム）とを使用し得る。たとえば、協調プロシージャは、以下の段落で要約するようなアルゴリズムを含み得る。
【００６９】
[0081]ＰＨＲを受信したことに応答して、各参加セルは、Σc（ＰCMAX,c−ＰＨc）linear＞Ｔｈ＿ｌｉｎである場合、それの最大電力をＸｃ  ｄＢだけ低減し得、ここにおいて、Ｔｈ＿ｌｉｎは、既知のしきい値、たとえば、２００ｍＷ（２３ｄＢｍ）であり、ｃは、セルを示すインデックスであり、Ｘｃは、ある電力増分である。次いで、各参加セルは、次のＰＨＲまで（ＰCMAX,Cの代わりに）電力制御のために使用されるべき新しいＰ’CMAX,C＝ＰCMAX,C−Ｘｃを導出する。Ｘｃは、累積固定ステップサイズ「δ」に等しく設定され得るか、またはＰCMAX,C、ＰＨCおよびＴｈ＿ｌｉｎのワンタイム関数によって決定され得る。代替的に、ΣC（ＰCMAX,C−ＰＨC）linear≦Ｔｈ＿ｌｉｎである場合、各参加セルCは、Ｘｃにワンタイム補正を適用する場合にはＰ’CMAX,C＝ＰCMAX,Cを設定し得、または、累積補正を適用する場合にはＰ’CMAX,C＝ＰCMAX,C＋δを設定し得る。ｄＢでのステップサイズδは、セルごとに動作および管理（ＯＡＭ：Operations and Management）を介して構成されるか、またはバックホールを介してセル間で交換され得る。たとえば、約０．５〜５ｄＢの範囲内のステップサイズが構成され得、さらなる例では、１ｄＢまたは３ｄｂのステップサイズが構成され得る。
【００７０】
[0082]上記の手法は、ＰＨＲに基づく参加セル間の暗黙的協調を使用し、明示的協調のために必要とされるセル間の追加のシグナリングを低減する。ＵＥは、ＰCMAX,CとＰＨＲ中のＰＨCとの適切な値を選択することによって参加セルを協調させる。暗黙的協調の利点は、たとえば、電力低減をトリガすべきときに対するより正確な制御を含み得る。トリガ条件が満たされない場合、各参加セルは最大所要電力でスケジュールすることができる。欠点は、たとえば、参加セルの間の暗黙的協調に依拠することを含み得る。参加セルが標準化されない（たとえば、同じ協調手法を採用していない）とき、暗黙的協調は、失敗が参加セルによって検出されることなしに、失敗することがある。
【００７１】
[0083]第３の代替手法では、暗黙的協調が新しいＰＨＲと組み合わされ得る。これは、ＵＥがそれ自体の全体的ＰCMAX値を報告することが追加された、上記で説明した第２の手法と同様であり得る。したがって、ＰＨＲはＵＥの全体的電力状態をより良く反映し得る。概して、全体的ＰCMAXは、独立した制約から値が導出され得るので、ＰCMAX,Cから直接導出され得ない。新しいＰＨＲ中の報告されたＰCMAXは、Ｘｃを導出するためにＴｈ＿ｌｉｎの代わりに使用され得る。この手法の利点は、たとえば、ＰＨＲが、スケジューリング中にＵＥの電力制約をより正確に表すことを含み得る。欠点は、たとえば、適用可能なワイヤレス規格における対応する変更を伴うＰＨＲにおける変更、たとえば、ＰＨＲ中でＰCMAXを報告することを必要とすることを含み得る。
【００７２】
[0084]第４の代替手法では、ＵＥ支援ＰＨ報告が、参加マルチフローセル間の協調なしに実装され得る。たとえば、新しい量がＵＥにおいて定義され得、ここでは「ＰＭＰＲｃ＿ｒ１２」によって表される。ＰＭＰＲｃ＿ｒ１２は、２次セル電力を１次セルのためのＰＭＰＲｃに組み込むピーク最大電力低減（ＰＭＰＲ）の測度を表す。逆に、２次セルのためのＰＭＰＲｃ＿ｒ１２は１次セル電力を組み込む。概して、
【００７３】
【数１】
2019024217.tif 000003
【００７４】
であり、ここにおいて、ＰＭＰＲ’ｃは、他の（たとえば、２次）セルのための、ＵＥにおいて決定されたピーク最大電力低減要件である。この手法は３つ以上のセルに一般化され得る。
【００７５】
[0085]ＵＥは、ＲＡＴ間ＰＭＰＲを報告するための既存のプロトコルを使用してＰＨＲ中でＰＭＰＲｃ＿ｒ１２を報告し得る。参加セルは、次いで、関係「ＰＭＰＲｃ＿ｒ１２＝ＰＭＰＲｃ＋ＰＭＰＲ’ｃ」に基づいて、ＲＡＴ内マルチフローを制御するための値としてＰＭＰＲｃ＿ｒ１２を解釈し得る。各セルは、ＰＭＰＲｃ＿ｒ１２中に含まれている、他の１つまたは複数のセルについての電力要件に関する情報を受信する。それによって、現在のワイヤレス規格への変更が回避され得る。現在、ＰＭＰＲｃは、ＲＡＴ間電力管理を考慮するためのＵＥ実装依存スケーリングファクタである。第４の代替は、ＰＭＰＲがＲＡＴ間電力管理のために必要とされないとき、ＰＭＰＲの使用をＬＴＥ／ＬＴＥマルチフローシナリオに拡張する。
【００７６】
[0086]ＰＭＰＲｃ＿ｒ１２をもつＰＨＲをトリガすることは送信電力変化に基づき得る。たとえば、セルがそれの送信電力を少なくともｄｌ−ＰａｔｈＬｏｓｓＣｈａｎｇｅだけ増加または減少させた場合、新しいＰＨＲが、他の（１つまたは複数の）セルに変化を通知するようにトリガされ得、ここにおいて、ｄｌ−ＰａｔｈＬｏｓｓＣｈａｎｇｅは、＋１ｄＢ、＋３ｄＢ、＋６ｄＢ、またはＰＨ報告を無効にするために指定された列挙値から選択された値であり得る。一代替では、新しいＲＲＣパラメータ、たとえばＣｅｌｌｔｒａｎｓｍｉｓｓｉｏｎＰｏｗｅｒＣｈａｎｇｅが、たとえば、約＋１ｄＢから＋６ｄＢの間の任意の望ましい値、ならびにＰＨ報告を無効にするために指定された値で、しきい値として定義され得る。ＰＭＰＲ’ｃの測定された増加は、時間的に、たとえば少なくとも数十ｍｓごとに、十分にフィルタ処理されるべきである。
【００７７】
[0087]第４の代替の利点は、たとえば、既存のワイヤレス規格への変更を最小限に抑えることと、他のＬＴＥ（ＲＡＴ内）セルを含むようにＰＭＰＲを拡張することを可能にすることとを含み得る。利点は、電力割振りにおけるより多くのフレキシビリティをＵＥに与えることと、参加マルチフローセルの間の協調の必要をなくすこととをさらに含み得る。
【００７８】
[0088]いくつかの物理チャネル、たとえば、ＰＵＣＣＨのためのアップリンク電力制御はいくつかの追加の考慮事項を含み得る。電力制限がＰＵＣＣＨ送信上で生じた場合、電力低減は望ましくないことがある。たとえば、ＰＵＣＣＨ上のバックオフはＡＣＫ／ＮＡＫシグナリングの紛失を生じことがある。したがって、並列に送信されるべき複数の物理チャネル上での電力制御は、制御情報または他の高優先度コンテンツを搬送するチャネル上のより小さい電力バックオフを可能にするために優先度を付けられ得る。あるセルの制御信号（たとえば、ＰＵＣＣＨ）は別のセルのためのデータよりも高い優先度を割り当てられ得る。さらなる例では、あるセルのＡＣＫ／ＮＡＫシグナリングは別のセルのＣＱＩ信号よりも高い優先度を割り当てられ得る。代替または追加として、電力優先度付けはセルタイプに基づき得る。たとえば、１次セル制御は２次セル制御よりも高い優先度を割り当てられ得る。ＰＵＳＣＨに関して、定期的に行われるいくつかのＰＵＳＣＨ送信も、優先度を付けられるか、または他のＰＵＳＣＨ送信であり得る。たとえば、半永続的スケジューリング（ＳＰＳ：semi-persistent scheduling）ベースのボイスオーバーインターネットプロトコル（ＶｏＩＰ）シグナリング、またはＰＵＳＣＨ上のアップリンク制御情報（ＵＣＩ：uplink control information）は、マルチフローシナリオにおいて異なるセルによって扱われている他のデータに勝る優先度を与えられ得る。
【００７９】
[0089]本開示の１つまたは複数の実施形態によれば、ワイヤレス通信システムの論理的に個別のデュアルセルとの接続性のためのアップリンク電力ヘッドルーム管理のための技法が提供される。本方法について以下でより詳細に説明する。
【００８０】
[0090]図７に関して、同じＲＡＴで動作している独立して制御されるセルとのアップリンクキャリアアグリゲーションにおける電力ヘッドルーム管理のための方法７００は、たとえば、フェムオセル、マクロセル、ピコセル、または他のスモールセルなど、１つまたは複数のネットワークエンティティによって実行され得る。方法７００は、７１０において、ワイヤレス通信ネットワークの少なくとも２つの独立して制御されるセルによってサービスされるモバイルエンティティによるアップリンク送信についての総ＰＨ制約を受けて、モバイルエンティティのために、ワイヤレス通信ネットワークの少なくとも２つの独立して制御されるセルにわたるアップリンク電力割振りを決定することを伴い得る。少なくとも２つのセルのうちの１つまたは複数がアップリンク電力割振りを決定し得る。割振りを決定することは、少なくとも２つの独立して制御されるセルのすべてと通信するために、キャリアアグリゲーションモードにおいて個別のキャリアを使用するモバイルエンティティの個別の送信機の間のアップリンク電力の割振りを制御するための情報を生成することを含み得る。
【００８１】
[0091]方法７００は、７２０において、アップリンクサービングセルのためのＰＨ報告を管理することをさらに含み得る。ＰＨ報告を管理することは、たとえば、少なくとも２つの独立して制御されるセル間の明示的協調、少なくとも２つの独立して制御されるセル間の暗黙的協調、または少なくとも２つの独立して制御されるセルのうちの少なくとも１つによってモバイルエンティティからのＰＨ報告を構成することのうちの少なくとも１つを含み得る。モバイルエンティティからのＰＨ報告を構成することは、独立して制御されるセルに与えるべきＰＨＲのタイプに関してモバイルエンティティに通知する、ｅＮＢから（明示的にまたは暗黙的に）シグナリングすることを含み得る。任意の好適なプロトコルが、モバイルエンティティに情報を与えるために使用され得る。
【００８２】
[0092]一態様では、ＰＨ報告を管理することは、モバイルエンティティからのＰＨＲを受信することを伴わないかまたは必要としない実施形態を含み得る。そのような場合、ＰＨ報告を管理することは、本明細書では、それぞれ「明示的協調」および「暗黙的協調」と呼ぶことがある、各セルに割り振られたＰＨを協調させるための、独立して制御されるセル間の明示的または暗黙的シグナリングによって実行され得る。方法７００のこれらおよび他の態様について以下でより詳細に説明する。
【００８３】
[0093]図８〜図１０Ｂに、方法７００と併せて、独立して制御される１つまたは複数のセルによって実行され得る、さらなる随意の動作または態様８００、９００、１０００または１０５０を示す。図８〜図１０Ｂに示された動作は、方法７００を実行するために必要とされない。随意の動作８００、９００  １０００または１０５０は、独立して実行され、相互排他的でない。したがって、別のダウンストリームまたはアップストリーム動作が実行されるかどうかにかかわらず、そのような動作のうちのいずれか１つが実行され得る。方法７００が図８〜図１０Ｂの少なくとも１つの動作を含む場合、方法７００は、必ずしも、図示され得るいかなる（１つまたは複数の）後続のダウンストリーム動作をも含む必要なしに、少なくとも１つの動作の後に終了し得る。
【００８４】
[0094]方法７００は、たとえば、図８に示された追加の動作８００のうちの１つまたは複数を含み得る。方法７００は、８１０において、少なくとも部分的に、少なくとも２つの独立して制御されるセル間の明示的協調によってＰＨ報告を管理することを含み得る。そのような場合、方法７００は、８２０において、少なくとも２つの独立して制御されるセルのうちの１次セルによって、それらのセルのうちの２次セルのための最大アップリンク電力値を定義することをさらに含み得る。それらのセルのうちの一方は１次セル（たとえば、マクロセル）であり得、他方は２次セル（たとえば、スモールセル）であり得る。上記で使用した１次セルは、セルサイズまたは電力にかかわらず、他の（１つまたは複数の）セルのための最大アップリンク電力を決定するセルである。方法７００は、８３０において、バックホールを介して最大アップリンク電力値を２次セルにシグナリングすることをさらに含み得る。最大アップリンク電力値は、マルチフローＵＥのための２次セル最大電力値をオーバーライドし得る。場合によっては、２つ以上の２次セルが方法７００に関与する場合、等しくない最大アップリンク電力値が異なる２次セルに与えられ得る。最大電力は、ＵＥの最大送信電力をキャッピングするようにセルによって構成されたパラメータであり得る。１次セルは、マルチフローＵＥのための２次セル最大電力値を１次セル最大電力の小部分に設定または指定し得る。
【００８５】
[0095]代替実施形態では、方法７００は、たとえば、図９に示された追加の動作９００のうちの１つまたは複数を含み得る。方法７００は、９１０において、少なくとも部分的に、少なくとも２つの独立して制御されるセル間の暗黙的協調によってＰＨ報告を管理することを含み得る。そのような場合、方法７００は、９２０において、少なくとも２つの独立して制御されるセルの各々が、それらのセルの各々がモバイルエンティティから受信したＰＨＲに基づいてセルごとの部分電力ヘッドルーム（ＰＨ）を決定することを含み得る。各セルは、モバイルエンティティのすべてのアンテナについてアグリゲートされた最大送信電力（上記のＰCMAXの説明を参照）のための仮定されたまたは暗示された値（たとえば、上記のＴｈ＿ｌｉｎの説明を参照）を使用し得る。方法７００は、９３０において、モバイルエンティティのすべてのアンテナについてアグリゲートされた最大送信電力と、セルごとのＰＨとを備える情報を含んでいるＰＨＲを受信することをさらに含み得る。マルチフローセルは、モバイルエンティティからの送信中で、たとえば、（たとえば、現在のＰＨＲ仕様と比較して変更された）変更ＰＨＲ中で、モバイルエンティティのすべてのアンテナについてアグリゲートされた最大送信電力を受信し得る。さらに、方法７００は、９４０において、ＰＨＲと、少なくとも２つの独立して制御されるセルの各々のための定義された線形（または他の明確な）電力しきい値とに基づいて、モバイルエンティティ送信電力を決定することを含み得る。代替または追加として、方法７００は、９５０において、少なくとも２つの独立して制御されるセルの各々について、各セルが、ＰＨＲと、モバイルエンティティのすべてのアンテナについてアグリゲートされた最大送信電力とに基づいて、モバイルエンティティ送信電力を決定することをさらに含み得る。
【００８６】
[0096]さらなる代替実施形態では、方法７００は、たとえば、図１０Ａに示された追加の動作１０００のうちの１つまたは複数を含み得る。方法７００は、１０１０において、少なくとも部分的に、少なくとも２つの独立して制御されるセルの各々がモバイルエンティティからＰＨ制御情報を受信することによって、ＰＨ報告を管理することを含み得る。方法は、１０２０において、ピーク最大電力低減（ＰＭＰＲ）に基づいてＰＨ制御情報を変更することを含み得る。方法７００は、１０３０において、少なくとも２つの独立して制御されるセルの各々が、ＰＨ制御情報に基づいてモバイルエンティティ送信電力を決定することをさらに含み得る。ブロック１０１０におけるＰＨ報告を管理すること、ブロック１０２０におけるＰＨ制御情報を変更すること、およびブロック１０３０における送信電力を決定することのためのアルゴリズムのより詳細な例について、本明細書の上記の第４の代替手法に関連して上記で説明した。
【００８７】
[0097]さらなる代替実施形態では、方法７００は、たとえば、図１０Ｂに示された追加の動作１０５０のうちの１つまたは複数を含み得る。方法７００は、１０６０において、送信タイプごとに電力を割り振ること、またはセルごとのＰＨ制約から送信タイプを除外することのうちの少なくとも１つによって、１つまたは複数の送信タイプのうちの１つに優先度を付けることを含み得る。たとえば、ＰＨの一部分が、より優先度の高い通信のために確保され得、その確保は、優先チャネル、データ、またはセルのための所望の最小電力を保証し得る。代替または追加として、優先チャネル、データ、またはセルに所望の最小電力レベルを与えるために必要な場合、ＰＨ限界によって課された電力限界が無視され得る。方法７００は、１０７０において、優先度を付けることを、チャネルタイプ、コンテンツタイプ、またはセルタイプのうちの１つまたは複数に基づかせることをさらに含み得る。たとえば、電力割振りのためのより高い優先度が、制御チャネル、たとえばＰＵＣＣＨに、ボイスデータに、または１次セルに割り当てられ得る。
【００８８】
[0098]図１１に、図７〜図１０Ｂの方法による、マルチフロー接続のためにＰＨを管理すること（たとえば、同じＲＡＴで動作している独立して制御されるセルとのアップリンクキャリアアグリゲーションにおける電力ヘッドルーム管理）のための装置１１００の一実施形態を示す。例示的な装置１１００は、ワイヤレスネットワークにおけるネットワークエンティティ（たとえば、フェムオセル、マクロセル、ピコセル、または他のセル）として、あるいはネットワークエンティティ内で使用するためのプロセッサまたは同様のデバイス／構成要素として構成され得る。装置１１００は、プロセッサ、ソフトウェア、ハードウェア、ファームウェアまたはそれらの組合せによって実装される機能を表すことができる機能ブロックを含み得る。
【００８９】
[0099]たとえば、装置１１００は、ワイヤレス通信ネットワークの少なくとも２つの独立して制御されるセルによってサービスされるモバイルエンティティによるアップリンク送信についての総ＰＨ制約を受けて、モバイルエンティティのために、ワイヤレス通信ネットワークの少なくとも２つの独立して制御されるセルにわたるアップリンク電力割振りを決定するための電気的構成要素またはモジュール１１０２を含み得る。構成要素１１０２は、少なくとも２つの独立して制御されるセルによってサービスされる、ＰＨ制約を受けるモバイルエンティティのために、ワイヤレス通信ネットワークの少なくとも２つの独立して制御されるセルにわたるアップリンク電力割振りを決定するための手段を備え得る。前記手段は、たとえば、より詳細なアルゴリズムを実行するネットワークエンティティ中のプロセッサなどを含み得る。より詳細なアルゴリズムは、たとえば、図８〜図１０Ｂの最初のブロック８１０、９１０および１０１０に関して説明したより詳細な動作のいずれかを使用してＰＨ制約を決定することと、最初のブロックに続く図８〜図１０Ｂの対応するブロックに関して説明した動作を使用して、ＰＨ制約するを受けてアップリンク電力割振りを決定することとを含み得る。
【００９０】
[00100]装置１１００は、少なくとも２つの独立して制御されるセルの各々ごとのアップリンク電力割振りを決定するためのＰＨ報告を管理するための電気的構成要素またはモジュール１１０４をさらに含み得る。構成要素１１０４は、ＰＨ報告を管理するための手段を備え得る。前記手段は、たとえば、より詳細なアルゴリズムを実行するネットワークエンティティ中のプロセッサなどを含み得る。より詳細なアルゴリズムは、たとえば、２つのセルの一方または両方から送信される制御チャネル、あるいは明示的協調および暗黙的協調のための上記で説明したアルゴリズムを使用して、たとえば、アップリンク電力割振りをモバイルエンティティに通信することを含み得る。
【００９１】
[00101]関係する態様では、プロセッサとしてではなく、ネットワークエンティティ（たとえば、ｅＮＢ、フェムオセル、マクロセル、ピコセルなど）として構成された装置１１００の場合、装置１１００は、少なくとも１つのプロセッサを有するプロセッサ構成要素１１１０を随意に含み得る。そのような場合、プロセッサ１１１０は、バス１１１２または同様の通信結合を介して構成要素１１０２〜１１０４と動作可能に通信していることがある。プロセッサ１１１０は、電気的構成要素１１０２〜１１０４によって実行されるプロセスまたは機能の起動とスケジューリングとを実施し得る。
【００９２】
[00102]さらなる関係する態様では、装置１１００は、他の送信構成要素（図示せず）、たとえば、１つまたは複数の電力増幅器およびアンテナまたはアンテナアレイに結合され得る、無線トランシーバ構成要素１１１４を含み得る。トランシーバ１１１４の代わりにまたはトランシーバ１１１４とともに、スタンドアロン受信機および／またはスタンドアロン送信機が使用され得る。装置１１００がネットワークエンティティであるとき、装置１１００は、１つまたは複数のコアネットワークエンティティに接続するためのネットワークインターフェース（図示せず）をも含み得る。装置１１００は、たとえば、メモリデバイス／構成要素１１１６など、情報を記憶するための構成要素を随意に含み得る。コンピュータ可読媒体またはメモリ構成要素１１１６は、バス１１１２などを介して装置１１００の他の構成要素に動作可能に結合され得る。メモリ構成要素１１１６は、構成要素１１０２〜１１０４、およびそれらの副構成要素、またはプロセッサ１１１０、または本明細書で開示する方法のプロセスと挙動とを実施するための、コンピュータ可読命令とデータとを記憶するように適応され得る。メモリ構成要素１１１６は、構成要素１１０２〜１１０４に関連する機能を実行するための命令を保持し得る。メモリ１１１６の外部にあるものとして示されているが、構成要素１１０２〜１１０４はメモリ１１１６の内部に存在することができることを理解されたい。図１１中の構成要素は、プロセッサ、電子デバイス、ハードウェアデバイス、電子的副構成要素、論理回路、メモリ、ソフトウェアコード、ファームウェアコード、関連する構成要素、またはそれらの任意の組合せを備え得ることにさらに留意されたい。
【００９３】
[00103]他の態様では、ワイヤレス通信ネットワークのモバイルエンティティ（たとえば、ＵＥ）は、図１２に示されているように、アップリンクキャリアアグリゲーションにおけるＰＨ管理のための方法１２００を実行し得る。方法１２００は、１２１０において、ＰＨ制限を受けるモバイルエンティティが、アップリンクキャリアアグリゲーションを使用して、ワイヤレス通信ネットワークの少なくとも２つの独立して制御されるセルにデータをシグナリングすることを含み得る。方法１２００は、１２２０において、モバイルエンティティが、モバイルエンティティから少なくとも２つの独立して制御されるセルの各々にアップリンク電力制御を管理するための情報を与えることをさらに含み得る。アップリンク電力制御を管理するための異なるアルゴリズムの例を上記で説明しており、上記の図８〜図１０Ｂに関して要約した。
【００９４】
[00104]図１３に、方法１２００と併せてモバイルエンティティによって実行され得る、さらなる随意の動作または態様１３００を示す。図１３に示された動作は、方法１２００を実行するために必要とされない。随意の動作１３００は、独立して実行され、相互排他的でない。したがって、別のダウンストリームまたはアップストリーム動作が実行されるかどうかにかかわらず、そのような動作のうちのいずれか１つが実行され得る。方法１２００が図１３の少なくとも１つの動作を含む場合、方法１２００は、必ずしも、図示され得るいかなる（１つまたは複数の）後続のダウンストリーム動作をも含む必要なしに、少なくとも１つの動作の後に終了し得る。
【００９５】
[00105]図１３００を参照すると、方法１２００は、１３１０において、各セルに割り振られたＵＥの最大送信電力と、セルごとのＰＨとを備える情報を与えることをさらに含み得る。方法１２００は、１３２０において、モバイルエンティティのすべてのアンテナについてアグリゲートされた最大送信電力を備える情報を与えることをさらに含み得る。方法１２００は、１３３０において、少なくとも２つの独立して制御されるセルの各々へのアップリンク送信のためにＵＥにおいて適用されるピーク最大電力低減（ＰＭＰＲ）によって変更されたＰＨ報告を備える情報を与えることをさらに含み得る。ＰＭＰＲは、たとえば、本明細書において上記でより詳細に説明したように「ＰＭＰＲｃ＿ｒ１２」であり得る。したがって、たとえば、方法１２００は、１３４０において、モバイルエンティティが、少なくとも２つの独立して制御されるセルのうちの少なくとも１つの送信電力に基づいてＰＭＰＲを計算することをさらに含み得る。たとえば、マルチフローキャリアアグリゲーションでは、１次セルの送信電力は、２次セルへのアップリンク送信のために適用されるべきＰＭＰＲを決定する際のファクタであり得、２次セルの送信電力は、１次セルへのアップリンク送信のために適用されるべきＰＭＰＲを決定する際のファクタであり得る。
【００９６】
[00106]図１４に、図１２〜図１３の方法による、異なる独立して制御されるセルとのキャリアアグリゲーションのために構成されたモバイルエンティティによる電力ヘッドルーム管理のための装置１４００の一実施形態を示す。例示的な装置１４００は、ワイヤレスネットワークにおけるモバイルエンティティ（たとえば、ＵＥ、移動局、端末、アクセス端末、加入者ユニット、局など）として、あるいはモバイルエンティティ内で使用するためのプロセッサまたは同様のデバイス／構成要素として構成され得る。装置１４００は、プロセッサ、ソフトウェア、またはそれらの組合せ（たとえば、ファームウェア）によって実装される機能を表すことができる機能ブロックを含み得る。たとえば、装置１４００は、ＰＨ制約を受けて、アップリンクキャリアアグリゲーションを使用して、モバイルエンティティからワイヤレス通信ネットワークの少なくとも２つの独立して制御されるセルにデータをシグナリングするための電気的構成要素またはモジュール１４０２を含み得る。構成要素１４０２は、アップリンクキャリアアグリゲーションを使用して、ＰＨ制約を受けるモバイルエンティティから、ワイヤレス通信ネットワークの少なくとも２つの独立して制御されるセルにデータをシグナリングするための手段を備え得る。前記手段は、たとえば、より詳細なアルゴリズムを実行するモバイルエンティティ中のプロセッサなどを含み得る。より詳細なアルゴリズムは、たとえば、キャリアアグリゲーションのためにアップリンク送信を処理することと、２つまたはそれ以上のセルからの情報に基づいて、および／またはモバイルエンティティにおいて決定された情報に基づいてアップリンク送信のための電力ヘッドルームを決定することと、電力ヘッドルームに従って装置１４００の２つまたはそれ以上の送信機のアップリンク電力を制御することとを含み得る。好適なアルゴリズムのさらなる詳細について、たとえば、図１２に関して上記で説明した。
【００９７】
[00107]装置１４００は、モバイルエンティティから少なくとも２つの独立して制御されるセルの各々にアップリンク電力制御を管理するための情報を与えるための電気的構成要素またはモジュール１４０４をさらに含み得る。構成要素１４０４は、モバイルエンティティから少なくとも２つの独立して制御されるセルの各々にアップリンク電力制御を管理するための情報を与えるための手段を備え得る。前記手段は、たとえば、より詳細なアルゴリズムを実行するモバイルエンティティ中のプロセッサなどを含み得る。より詳細なアルゴリズムは、たとえば、ＰＨ報告トリガリングイベントを検出することと、メモリ１４１６中の情報、たとえば図１３に関して説明したような情報に基づいてＰＨＲを生成することと、ブロードキャスト送信または個別のユニキャスト送信を使用して、独立して制御されるセルの各々にＰＨＲを送信することとを含み得る。
関係する態様では、プロセッサとしてではなく、モバイルエンティティ（たとえば、ＵＥ、移動局、端末、アクセス端末、加入者ユニット、局など）として構成された装置１４００の場合、装置１４００は、少なくとも１つのプロセッサを有するプロセッサ構成要素１４１０を随意に含み得る。そのような場合、プロセッサ１４１０は、バス１４１２または同様の通信結合を介して構成要素１４０２〜１４０４と動作可能に通信していることがある。プロセッサ１４１０は、電気的構成要素１４０２〜１４０４によって実行されるプロセスまたは機能の起動とスケジューリングとを実施し得る。
【００９８】
[00108]さらなる関係する態様では、装置１４００は、（たとえばデュアルアンテナアレイなどの）複数のアンテナまたはアンテナアレイ１４２２、１４２６と、ＰＨ制限を受ける、複数のアンテナまたはアレイの各々のための個別の電力増幅器１４２０、１４２４とを含み得る、無線トランシーバ構成要素１４１４を含み得る。トランシーバ１４１４の代わりにまたはトランシーバ１４１４とともに、スタンドアロン受信機および／またはスタンドアロン送信機が使用され得る。装置１４００がネットワークエンティティであるとき、装置１４００は、１つまたは複数のコアネットワークエンティティに接続するためのネットワークインターフェース（図示せず）をも含み得る。装置１４００は、たとえば、メモリデバイス／構成要素１４１６など、情報を記憶するための構成要素を随意に含み得る。コンピュータ可読媒体またはメモリ構成要素１４１６は、バス１４１２などを介して装置１４００の他の構成要素に動作可能に結合され得る。メモリ構成要素１４１６は、構成要素１４０２〜１４０４、およびそれらの副構成要素、またはプロセッサ１４１０、または本明細書で開示する方法のプロセスと挙動とを実施するための、コンピュータ可読命令とデータとを記憶するように適応され得る。メモリ構成要素１４１６は、構成要素１４０２〜１４０４に関連する機能を実行するための命令を保持し得る。メモリ１４１６の外部にあるものとして示されているが、構成要素１４０２〜１４０４はメモリ１４１６の内部に存在することができることを理解されたい。図１４中の構成要素は、プロセッサ、電子デバイス、ハードウェアデバイス、電子的副構成要素、論理回路、メモリ、ソフトウェアコード、ファームウェアコード、関連する構成要素、またはそれらの任意の組合せを備え得ることにさらに留意されたい。装置１４００は、一態様では、ワイヤレス通信ネットワークの２つまたはそれ以上の独立して制御されるセルを含み得る。
【００９９】
[00109]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１００】
[00110]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１０１】
[00111]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０２】
[00112]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１０３】
[00113]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとして、非一時的コンピュータ可読媒体上に記憶されるか、または非一時的コンピュータ可読媒体を介して送信され得る。非一時的コンピュータ可読媒体は記憶媒体を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここにおいて、ディスク（disk）は、通常、磁気的に符号化されたデータを保持し、ディスク（disc）は、光学的に符号化されたデータを保持する。上記の組合せもコンピュータ可読媒体の範囲内に含まれるべきである。
【０１０４】
[00114]本開示についての以上の説明は、いかなる当業者も本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2019024217.tif 000004
【図２】
2019024217.tif 000005
【図３】
2019024217.tif 000006
【図４】
2019024217.tif 000007
【図５】
2019024217.tif 000008
【図６】
2019024217.tif 000009
【図７】
2019024217.tif 000010
【図８】
2019024217.tif 000011
【図９】
2019024217.tif 000012
【図１０Ａ】
2019024217.tif 000013
【図１０Ｂ】
2019024217.tif 000014
【図１１】
2019024217.tif 000015
【図１２】
2019024217.tif 000016
【図１３】
2019024217.tif 000017
【図１４】
2019024217.tif 000018
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
キャリアアグリゲーションにおけるモバイルエンティティによる電力ヘッドルーム（ＰＨ）管理のための方法であって、
アップリンクキャリアアグリゲーション（ＣＡ）を使用して、ＰＨ制約を受けるモバイルエンティティから、ワイヤレス通信ネットワークの少なくとも２つの独立して制御されるセルにデータをシグナリングすることと、
前記モバイルエンティティから前記少なくとも２つの独立して制御されるセルの各々にアップリンク電力制御を管理するための情報を与えることと
を備える、方法。
【請求項２】
前記情報が、セルごとの最大送信電力とセルごとのＰＨとを備える、請求項１に記載の方法。
【請求項３】
前記情報が、前記モバイルエンティティのすべてのアンテナについてアグリゲートされた最大送信電力を備える、請求項１に記載の方法。
【請求項４】
前記情報が、前記少なくとも２つの独立して制御されるセルの各々についてのピーク最大電力低減（ＰＭＰＲ）を含むＰＨ報告を備える、請求項１に記載の方法。
【請求項５】
前記少なくとも２つの独立して制御されるセルのうちの少なくとも１つの送信電力に基づいて前記ＰＭＰＲを計算することをさらに備える、請求項４に記載の方法。
【請求項６】
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることとを行うように構成された少なくとも１つのプロセッサと、
前記少なくとも１つのプロセッサに結合された、データを記憶するためのメモリと
を備える、ワイヤレス通信装置。
【請求項７】
前記少なくとも１つのプロセッサが、セルごとの最大送信電力とセルごとのＰＨとを備える前記情報を与えるようにさらに構成された、請求項６に記載のワイヤレス通信装置。
【請求項８】
前記少なくとも１つのプロセッサが、前記モバイルエンティティのすべてのアンテナについてアグリゲートされた最大送信電力をさらに備える前記情報を与えるようにさらに構成された、請求項６に記載のワイヤレス通信装置。
【請求項９】
前記少なくとも１つのプロセッサが、前記少なくとも２つの独立して制御されるセルの各々についてのピーク最大電力低減（ＰＭＰＲ）によって変更されたＰＨ報告を備える前記情報を与えるようにさらに構成された、請求項６に記載のワイヤレス通信装置。
【請求項１０】
前記少なくとも１つのプロセッサが、前記少なくとも２つの独立して制御されるセルのうちの少なくとも１つの送信電力に基づいて前記ＰＭＰＲを計算するようにさらに構成された、請求項９に記載のワイヤレス通信装置。
【請求項１１】
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングするための手段と、
前記モバイルエンティティから前記少なくとも２つの独立して制御されるセルの各々にアップリンク電力制御を管理するための情報を与えるための手段と
を備える、ワイヤレス通信装置。
【請求項１２】
少なくとも１つのコンピュータに、
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることと
を行わせるためのコードを備える非一時的コンピュータ可読記憶媒体。
【手続補正２】
【補正対象書類名】明細書
【補正対象項目名】０１０４
【補正方法】変更
【補正の内容】
【０１０４】
[00114]本開示についての以上の説明は、いかなる当業者も本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
[Ｃ１]  アップリンクキャリアアグリゲーションにおける電力ヘッドルーム（ＰＨ）管理のための方法であって、
ワイヤレス通信ネットワークの少なくとも２つの独立して制御されるセルによってサービスされるモバイルエンティティによるアップリンク送信についての総ＰＨ制約を受けて、前記モバイルエンティティのために、前記少なくとも２つの独立して制御されるセルにわたるアップリンク電力割振りを決定することと、
前記少なくとも２つの独立して制御されるセルの各々ごとの前記アップリンク電力割振りを決定するためのＰＨ報告を管理することと
を備える、方法。
[Ｃ２]  前記ＰＨ報告を前記管理することが、前記少なくとも２つの独立して制御されるセル間の明示的協調、前記少なくとも２つの独立して制御されるセル間の暗黙的協調、または前記少なくとも２つの独立して制御されるセルのうちの少なくとも１つによって前記モバイルエンティティからのＰＨ報告を構成することのうちの少なくとも１つによって実行される、Ｃ１に記載の方法。
[Ｃ３]  前記少なくとも２つの独立して制御されるセルのうちの１つが１次セルであり、前記少なくとも２つの独立して制御されるセルのうちの別の１つが２次セルである、Ｃ２に記載の方法。
[Ｃ４]  前記ＰＨ報告を前記管理することが、前記少なくとも２つの独立して制御されるセル間の明示的協調によって実行され、前記１次セルが前記２次セルのための最大アップリンク電力値を定義することをさらに備える、Ｃ３に記載の方法。
[Ｃ５]  前記１次セルが、バックホールを介して前記最大アップリンク電力値を前記２次セルにシグナリングすることをさらに備える、Ｃ４に記載の方法。
[Ｃ６]  前記少なくとも２つの独立して制御されるセル間の暗黙的協調によって前記ＰＨ報告を前記管理することを実行することをさらに備え、ここにおいて、前記少なくとも２つの独立して制御されるセルの各々が、前記モバイルエンティティから受信されたＰＨ報告（ＰＨＲ）に基づいてセルごとの部分ＰＨを決定する、Ｃ２に記載の方法。
[Ｃ７]  前記ＰＨＲが、前記モバイルエンティティのすべてのアンテナについてアグリゲートされた最大送信電力と、セルごとのＰＨとを備える、Ｃ６に記載の方法。
[Ｃ８]  セルごとの前記部分ＰＨが、前記セルについて前記モバイルエンティティによって報告された部分ＰＨよりも小さい、Ｃ６に記載の方法。
[Ｃ９]  前記少なくとも２つの独立して制御されるセルの各々が、前記ＰＨＲと、定義された電力しきい値とに基づいて、モバイルエンティティ送信電力を決定する、Ｃ７に記載の方法。
[Ｃ１０]  前記少なくとも２つの独立して制御されるセルの各々が、前記ＰＨＲと、前記モバイルエンティティのすべてのアンテナについてアグリゲートされた前記最大送信電力とに基づいて、モバイルエンティティ送信電力を決定する、Ｃ７に記載の方法。
[Ｃ１１]  前記ＰＨ報告を前記管理することは、前記少なくとも２つの独立して制御されるセルの各々が前記モバイルエンティティからＰＨ制御情報を受信することによって実行され、ここにおいて、前記モバイルエンティティが、ピーク最大電力低減（ＰＭＰＲ）に基づいて前記ＰＨ制御情報を変更する、Ｃ２に記載の方法。
[Ｃ１２]  前記モバイルエンティティが、前記少なくとも２つの独立して制御されるセルのうちの少なくとも１つの送信電力に基づいて前記ＰＭＰＲを計算する、Ｃ１０に記載の方法。
[Ｃ１３]  前記少なくとも２つの独立して制御されるセルの各々が、前記ＰＨＲ制御情報に基づいてモバイルエンティティ送信電力を決定する、Ｃ２に記載の方法。
[Ｃ１４]  送信タイプごとに電力を割り振ること、または前記少なくとも２つの独立して制御されるセルについてのセルごとのＰＨ制約から送信タイプを除外することのうちの少なくとも１つによって、１つまたは複数の送信タイプのうちの１つに優先度を付けることをさらに備える、Ｃ１に記載の方法。
[Ｃ１５]  前記優先度を付けることが、チャネルタイプ、コンテンツタイプまたはセルタイプのうちの１つまたは複数に基づく、Ｃ１３に記載の方法。
[Ｃ１６]  ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定することと、アップリンクサービングセルごとの前記アップリンク電力割振りを決定するためのＰＨ報告を管理することとを行うように構成された少なくとも１つのプロセッサと、
前記少なくとも１つのプロセッサに結合された、データを記憶するためのメモリと
を備える、ワイヤレス通信装置。
[Ｃ１７]  前記少なくとも１つのプロセッサが、前記少なくとも２つの独立して制御されるセル間の明示的協調、前記少なくとも２つの独立して制御されるセル間の暗黙的協調、または前記少なくとも２つの独立して制御されるセルのうちの少なくとも１つによって前記モバイルエンティティからのＰＨ報告を構成することのうちの少なくとも１つによって、前記ＰＨ報告を前記管理することを実行するようにさらに構成された、Ｃ１５に記載のワイヤレス通信装置。
[Ｃ１８]  前記少なくとも１つのプロセッサが、１次セルである、前記少なくとも２つの独立して制御されるセルのうちの１つに関する前記明示的協調によって、前記ＰＨ報告を前記管理することを実行するようにさらに構成され、２次セルである、前記少なくとも２つの独立して制御されるセルのうちの別の１つのための最大アップリンク電力値を定義することをさらに備える、Ｃ１５に記載のワイヤレス通信装置。
[Ｃ１９]  前記少なくとも１つのプロセッサが、前記１次セルに、バックホールを介して前記最大アップリンク電力値を前記２次セルにシグナリングさせるようにさらに構成された、Ｃ１７に記載のワイヤレス通信装置。
[Ｃ２０]  前記少なくとも１つのプロセッサが、前記少なくとも２つの独立して制御されるセルの各々に関する前記暗黙的協調によって、前記ＰＨ報告を前記管理することを実行するようにさらに構成され、前記モバイルエンティティから受信されたＰＨＲに基づいてセルごとの部分ＰＨを決定することをさらに備える、Ｃ１６に記載のワイヤレス通信装置。
[Ｃ２１]  前記少なくとも１つのプロセッサが、前記モバイルエンティティのすべてのアンテナについてアグリゲートされた最大送信電力と、セルごとのＰＨとを備える前記ＰＨＲを受信するようにさらに構成された、Ｃ１９に記載のワイヤレス通信装置。
[Ｃ２２]  前記少なくとも１つのプロセッサが、前記ＰＨＲと、前記少なくとも２つの独立して制御されるセルの各々のための定義された電力しきい値とに基づいて、モバイルエンティティ送信電力を決定するようにさらに構成された、Ｃ２０に記載のワイヤレス通信装置。
[Ｃ２３]  前記少なくとも１つのプロセッサが、前記少なくとも２つの独立して制御されるセルの各々について、前記ＰＨＲと、前記モバイルエンティティのすべてのアンテナについてアグリゲートされた前記最大送信電力とに基づいて、モバイルエンティティ送信電力を決定するようにさらに構成された、Ｃ２１に記載のワイヤレス通信装置。
[Ｃ２４]  前記少なくとも１つのプロセッサは、前記少なくとも２つの独立して制御されるセルの各々が前記モバイルエンティティからＰＨ制御情報を受信することによって、前記ＰＨ報告を前記管理することを実行するようにさらに構成され、ここにおいて、前記モバイルエンティティが、ピーク最大電力低減（ＰＭＰＲ）に基づいて前記ＰＨ制御情報を変更する、Ｃ１６に記載のワイヤレス通信装置。
[Ｃ２５]  前記少なくとも１つのプロセッサが、前記少なくとも２つの独立して制御されるセルの各々について、前記ＰＨ制御情報に基づいてモバイルエンティティ送信電力を決定するようにさらに構成された、Ｃ１６に記載のワイヤレス通信装置。
[Ｃ２６]  前記少なくとも１つのプロセッサが、送信タイプごとに電力を割り振ること、またはＰＨ制限から送信タイプを除外することのうちの少なくとも１つによって、１つまたは複数の送信タイプのうちの１つに優先度を付けるようにさらに構成された、Ｃ１５に記載のワイヤレス通信装置。
[Ｃ２７]  前記少なくとも１つのプロセッサが、チャネルタイプ、コンテンツタイプまたはセルタイプのうちの１つまたは複数に基づいて、前記１つまたは複数の送信タイプに優先度を付けるようにさらに構成された、Ｃ２５に記載のワイヤレス通信装置。
[Ｃ２８]  ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定するための手段と、
アップリンクサービングセルについてのＰＨ報告を管理するための手段と
を備える、ワイヤレス通信装置。
[Ｃ２９]  少なくとも１つのコンピュータに、
ワイヤレス通信ネットワークの少なくとも２つの独立して制御されるセルによってサービスされるモバイルエンティティによるアップリンク送信についての総ＰＨ制約を受けて、前記モバイルエンティティのために、ワイヤレス通信ネットワークの少なくとも２つの独立して制御されるセルにわたるアップリンク電力割振りを決定することと、アップリンクサービングセルについてのＰＨエポーティングを管理することと
を行わせるためのコードを備える非一時的コンピュータ可読媒体と、
前記少なくとも１つのプロセッサに結合された、データを記憶するためのメモリと
を備える、コンピュータプログラム製品。
[Ｃ３０]  キャリアアグリゲーションにおけるモバイルエンティティによる電力ヘッドルーム（ＰＨ）管理のための方法であって、
アップリンクキャリアアグリゲーション（ＣＡ）を使用して、ＰＨ制約を受けるモバイルエンティティから、ワイヤレス通信ネットワークの少なくとも２つの独立して制御されるセルにデータをシグナリングすることと、
前記モバイルエンティティから前記少なくとも２つの独立して制御されるセルの各々にアップリンク電力制御を管理するための情報を与えることと
を備える、方法。
[Ｃ３１]  前記情報が、セルごとの最大送信電力とセルごとのＰＨとを備える、Ｃ２９に記載の方法。
[Ｃ３２]  前記情報が、前記モバイルエンティティのすべてのアンテナについてアグリゲートされた最大送信電力を備える、Ｃ３０に記載の方法。
[Ｃ３３]  前記情報が、前記少なくとも２つの独立して制御されるセルの各々についてのピーク最大電力低減（ＰＭＰＲ）を含むＰＨ報告を備える、Ｃ２９に記載の方法。
[Ｃ３４]  前記少なくとも２つの独立して制御されるセルのうちの少なくとも１つの送信電力に基づいて前記ＰＭＰＲを計算することをさらに備える、Ｃ３２に記載の方法。
[Ｃ３５]  アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることとを行うように構成された少なくとも１つのプロセッサと、
前記少なくとも１つのプロセッサに結合された、データを記憶するためのメモリと
を備える、ワイヤレス通信装置。
[Ｃ３６]  前記少なくとも１つのプロセッサが、セルごとの最大送信電力とセルごとのＰＨとを備える前記情報を与えるようにさらに構成された、Ｃ３４に記載のワイヤレス通信装置。
[Ｃ３７]  前記少なくとも１つのプロセッサが、前記モバイルエンティティのすべてのアンテナについてアグリゲートされた最大送信電力をさらに備える前記情報を与えるようにさらに構成された、Ｃ３５に記載のワイヤレス通信装置。
[Ｃ３８]  前記少なくとも１つのプロセッサが、前記少なくとも２つの独立して制御されるセルの各々についてのピーク最大電力低減（ＰＭＰＲ）によって変更されたＰＨ報告を備える前記情報を与えるようにさらに構成された、Ｃ３４に記載のワイヤレス通信装置。
[Ｃ３９]  前記少なくとも１つのプロセッサが、前記少なくとも２つの独立して制御されるセルのうちの少なくとも１つの送信電力に基づいて前記ＰＭＰＲを計算するようにさらに構成された、Ｃ３７に記載のワイヤレス通信装置。
[Ｃ４０]  アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングするための手段と、
前記モバイルエンティティから前記少なくとも２つの独立して制御されるセルの各々にアップリンク電力制御を管理するための情報を与えるための手段と
を備える、ワイヤレス通信装置。
[Ｃ４１]  少なくとも１つのコンピュータに、
アップリンクキャリアアグリゲーション（ＣＡ）を使用して、電力ヘッドルーム（ＰＨ）制約を受けるモバイルエンティティから、ワイヤレス通信ネットワークの少なくとも２つの独立して制御されるセルにデータをシグナリングすることと、前記モバイルエンティティから前記少なくとも２つの独立して制御されるセルの各々にアップリンク電力制御を管理するための情報を与えることと
を行わせるためのコードを備える非一時的コンピュータ可読媒体
を備える、コンピュータプログラム製品。
【外国語明細書】
2019024217000001.pdf